(57)【要約】  本発明は、キャリアアグリゲーション（ＣＡ）方式をサポートするセルラー無線通信システムにおけるユーザ端末機（ＵＥ）がアップリンク物理共有チャンネル（ＰＵＳＣＨ）信号を送信する方法を提供する。上記方法は、アップリンク／ダウンリンク構成（ＵＬ／ＤＬ構成）情報に対応するように基地局にＰＵＳＣＨ信号を送信するステップを含み、時分割デュプレッシング（ＴＤＤ）方式に対して、ＵＥが１個以上のサービングセルで構成され、少なくとも２個のサービングセルのＵＬ／ＤＬ構成情報が相異であり、サービングセルが基本セルと第２のセルとのうち一つである場合、上記サービングセルに対するＵＬ／ＤＬ構成情報は、他のサービングセルに対するＵＬ／ＤＬ構成情報と上記サービングセルに対するＵＬ／ＤＬ構成情報とにより形成されるペアに基づくアップリンク基準ＵＬ／ＤＬ構成情報として設定されることを特徴とする。
2015508246.tif 000002
【特許請求の範囲】
【請求項１】
キャリアアグリゲーション（ＣＡ）方式をサポートするセルラー無線通信システムにおけるユーザ端末機（ＵＥ）がアップリンク物理共有チャンネル（ＰＵＳＣＨ）信号を送信する方法であって、
アップリンク／ダウンリンク（ＵＬ／ＤＬ）構成情報に基づいて基地局にＰＵＳＣＨ信号を送信するステップを含み、
時分割デュプレッシング（ＴＤＤ）方式に対して、ＵＥが１個以上のサービングセルで構成され、少なくとも２個のサービングセルのＵＬ／ＤＬ構成情報が相異であり、サービングセルが基本セルと第２のセルとのうち一つである場合、前記サービングセルに対するＵＬ／ＤＬ構成情報は、他のサービングセルに対するＵＬ／ＤＬ構成情報と前記サービングセルに対するＵＬ／ＤＬ構成情報とにより形成されるペアに基づくアップリンク−基準ＵＬ／ＤＬ構成情報として設定されることを特徴とする方法。
【請求項２】
前記ＵＬ／ＤＬ構成情報は、前記ＵＥがダウンリンク物理制御チャンネル（ＰＤＣＣＨ）信号を受信するサブフレームにマッピングされるサブフレームインデックスを示す情報と、前記ＵＥが前記ＰＵＳＣＨ信号を送信するサブフレームにマッピングされるサブフレームインデックスを示す情報とを含むことを特徴とする請求項１に記載の方法。
【請求項３】
前記ＵＬ−基準ＵＬ／ＤＬ構成情報がＵＬ／ＤＬ構成０である場合、前記他のサービングセルに対するＵＬ／ＤＬ構成情報と前記サービングセルに対するＵＬ／ＤＬ構成情報とにより形成されるペアは、前記他のサービングセルに対するＵＬ／ＤＬ構成情報がＵＬ／ＤＬ構成０であり、前記サービングセルに対するＵＬ／ＤＬ構成情報がＵＬ／ＤＬ構成０であり、
前記ＵＬ／ＤＬ構成０は、前記ＵＥがダウンリンクサブフレーム０でダウンリンク物理制御チャンネル（ＰＤＣＣＨ）信号を受信する場合、アップリンクサブフレーム４で前記ＰＵＳＣＨ信号を送信し、前記ＵＥがダウンリンクサブフレーム１でＰＤＣＣＨ信号を受信する場合、アップリンクサブフレーム６で前記ＰＵＳＣＨ信号を送信し、前記ＵＥがダウンリンクサブフレーム５でＰＤＣＣＨ信号を受信する場合、アップリンクサブフレーム４で前記ＰＵＳＣＨ信号を送信し、前記ＵＥがダウンリンクサブフレーム６でＰＤＣＣＨ信号を受信する場合、アップリンクサブフレーム６で前記ＰＵＳＣＨ信号を送信することを示すことを特徴とする請求項１に記載の方法。
【請求項４】
前記ＵＬ−基準ＵＬ／ＤＬ構成情報がＵＬ／ＤＬ構成６である場合、前記他のサービングセルに対するＵＬ／ＤＬ構成情報と前記サービングセルに対するＵＬ／ＤＬ構成情報とにより形成されるペアは、前記他のサービングセルに対するＵＬ／ＤＬ構成情報がＵＬ／ＤＬ構成６であり、前記サービングセルに対するＵＬ／ＤＬ構成情報がＵＬ／ＤＬ構成６であり、
前記ＵＬ／ＤＬ構成６は、前記ＵＥがダウンリンクサブフレーム０でダウンリンク物理制御チャンネル（ＰＤＣＣＨ）信号を受信する場合、アップリンクサブフレーム７で前記ＰＵＳＣＨ信号を送信し、前記ＵＥがダウンリンクサブフレーム１でＰＤＣＣＨ信号を受信する場合、アップリンクサブフレーム７で前記ＰＵＳＣＨ信号を送信し、前記ＵＥがダウンリンクサブフレーム６でＰＤＣＣＨ信号を受信する場合、アップリンクサブフレーム７で前記ＰＵＳＣＨ信号を送信し、前記ＵＥがダウンリンクサブフレーム９でＰＤＣＣＨ信号を受信する場合、アップリンクサブフレーム５で前記ＰＵＳＣＨ信号を送信することを示すことを特徴とする請求項１に記載の方法。
【請求項５】
前記基本セルは、前記ＵＥがダウンリンク物理制御チャンネル（ＰＤＣＣＨ）信号及び物理ハイブリッド自動再送要求（ＨＡＲＱ）指示子チャンネル（ＰＨＩＣＨ）信号を受信するセルであり、
前記セルは、前記ＣＡ方式をサポートするセルラー無線通信システムで使用するコンポーネントキャリア（ＣＣ）を示すことを特徴とする請求項１に記載の方法。
【請求項６】
前記第２のセルは、前記ＵＥが前記ＰＵＳＣＨ信号を送信するセルであり、
前記セルは、前記ＣＡ方式をサポートするセルラー無線通信システムで使用するコンポーネントキャリア（ＣＣ）を示すことを特徴とする請求項１に記載の方法。
【請求項７】
前記ＵＥは、１個以上のセルで動作し、前記セルは、前記ＣＡ方式をサポートするセルラー無線通信システムで使用するコンポーネントキャリア（ＣＣ）を示すことを特徴とする請求項１に記載の方法。
【請求項８】
前記基地局から前記ＵＬ／ＤＬ構成情報を受信するステップをさらに含み、
前記ＵＬ／ＤＬ構成情報は、ダウンリンク物理制御チャンネル（ＰＤＣＣＨ）を通して受信されることを特徴とする請求項１に記載の方法。
【請求項９】
キャリアアグリゲーション（ＣＡ）方式をサポートするセルラー無線通信システムにおける基地局がダウンリンク物理制御チャンネル（ＰＤＣＣＨ）信号を送信する方法であって、
ユーザ端末機（ＵＥ）に対するアップリンク物理共有チャンネル（ＰＵＳＣＨ）信号送信に関連した情報であるアップリンク（ＵＬ）／ダウンリンク（ＤＬ）構成情報を含むＰＤＣＣＨ信号を前記ＵＥに送信するステップを含み、
時分割デュプレッシング（ＴＤＤ）方式に対して、ＵＥが１個以上のサービングセルで構成され、少なくとも２個のサービングセルのＵＬ／ＤＬ構成情報が相異であり、サービングセルが基本セルと第２のセルとのうち一つである場合、前記サービングセルに対するＵＬ／ＤＬ構成情報は、他のサービングセルに対するＵＬ／ＤＬ構成情報と前記サービングセルに対するＵＬ／ＤＬ構成情報とにより形成されるペアに基づくアップリンク（ＵＬ）−基準ＵＬ／ＤＬ構成情報として設定されることを特徴とする方法。
【請求項１０】
前記ＵＬ／ＤＬ構成情報は、前記ＵＥがＰＤＣＣＨ信号を受信するサブフレームにマッピングされるサブフレームインデックスを示す情報と、前記ＵＥが前記ＰＵＳＣＨ信号を送信するサブフレームにマッピングされるサブフレームインデックスを示す情報とを含むことを特徴とする請求項９に記載の方法。
【請求項１１】
前記ＵＬ−基準ＵＬ／ＤＬ構成情報がＵＬ／ＤＬ構成０である場合、前記他のサービングセルに対するＵＬ／ＤＬ構成情報と前記サービングセルに対するＵＬ／ＤＬ構成情報とにより形成されるペアは、前記他のサービングセルに対するＵＬ／ＤＬ構成情報がＵＬ／ＤＬ構成０であり、前記サービングセルに対するＵＬ／ＤＬ構成情報がＵＬ／ＤＬ構成０であり、
前記ＵＬ／ＤＬ構成０は、前記ＵＥがダウンリンクサブフレーム０でＰＤＣＣＨ信号を受信する場合、アップリンクサブフレーム４で前記ＰＵＳＣＨ信号を送信し、前記ＵＥがダウンリンクサブフレーム１でＰＤＣＣＨ信号を受信する場合、アップリンクサブフレーム６で前記ＰＵＳＣＨ信号を送信し、前記ＵＥがダウンリンクサブフレーム５でＰＤＣＣＨ信号を受信する場合、アップリンクサブフレーム４で前記ＰＵＳＣＨ信号を送信し、前記ＵＥがダウンリンクサブフレーム６でＰＤＣＣＨ信号を受信する場合、アップリンクサブフレーム６で前記ＰＵＳＣＨ信号を送信することを示すことを特徴とする請求項９に記載の方法。
【請求項１２】
前記ＵＬ−基準ＵＬ／ＤＬ構成情報がＵＬ／ＤＬ構成６である場合、前記他のサービングセルに対するＵＬ／ＤＬ構成情報と前記サービングセルに対するＵＬ／ＤＬ構成情報とにより形成されるペアは、前記他のサービングセルに対するＵＬ／ＤＬ構成情報がＵＬ／ＤＬ構成６であり、前記サービングセルに対するＵＬ／ＤＬ構成情報がＵＬ／ＤＬ構成６であり、
前記ＵＬ／ＤＬ構成６は、前記ＵＥがダウンリンクサブフレーム０でＰＤＣＣＨ信号を受信する場合、アップリンクサブフレーム７で前記ＰＵＳＣＨ信号を送信し、前記ＵＥがダウンリンクサブフレーム１でＰＤＣＣＨ信号を受信する場合、アップリンクサブフレーム７で前記ＰＵＳＣＨ信号を送信し、前記ＵＥがダウンリンクサブフレーム６でＰＤＣＣＨ信号を受信する場合、アップリンクサブフレーム７で前記ＰＵＳＣＨ信号を送信し、前記ＵＥがダウンリンクサブフレーム９でＰＤＣＣＨ信号を受信する場合、アップリンクサブフレーム５で前記ＰＵＳＣＨ信号を送信することを示すことを特徴とする請求項９に記載の方法。
【請求項１３】
前記基本セルは、前記ＵＥがＰＤＣＣＨ信号及び物理ハイブリッド自動再送要求（ＨＡＲＱ）指示子チャンネル（ＰＨＩＣＨ）信号を受信するセルであり、
前記セルは、前記ＣＡ方式をサポートするセルラー無線通信システムで使用するコンポーネントキャリア（ＣＣ）を示すことを特徴とする請求項９に記載の方法。
【請求項１４】
前記第２のセルは、前記ＵＥが前記ＰＵＳＣＨ信号を送信するセルであり、
前記セルは、前記ＣＡ方式をサポートするセルラー無線通信システムで使用するコンポーネントキャリア（ＣＣ）を示すことを特徴とする請求項９に記載の方法。
【請求項１５】
前記ＵＥは、１個以上のセルで動作し、前記セルは、前記ＣＡ方式をサポートするセルラー無線通信システムで使用するコンポーネントキャリア（ＣＣ）を示すことを特徴とする請求項９に記載の方法。
【請求項１６】
前記ＵＥからＰＵＳＣＨ信号を受信するステップをさらに含むことを特徴とする請求項９に記載の方法。
【請求項１７】
請求項１乃至８のいずれか一項に記載の方法を実行するためのユーザ端末機。
【請求項１８】
請求項９乃至１６のいずれか一項に記載の方法を実行するための基地局。
【発明の詳細な説明】
【技術分野】
【０００１】
本発明は、キャリアアグリゲーション（Carrier Aggregation；以下‘ＣＡ’と称する）方式をサポートするセルラー無線通信システムにおけるアップリンク物理共有チャンネル（Physical Uplink Shared Channel：以下‘ＰＵＳＣＨ’と称する）信号を送／受信する装置及び方法に関する。特に、本発明は、キャリアアグリゲーション方式をサポートする時分割デュプレッシング（Time Division Duplexing：以下‘ＴＤＤ’と称する）通信システムにおいて、キャリアアグリゲーションされたセルのアップリンク構成（Uplink Configuration：以下‘ＵＬ構成’と称する）とダウンリンク構成（Downlink Configuration：以下‘ＤＬ構成’と称する）が相異であるＰＵＳＣＨ信号を送／受信する装置及び方法に関する。
【背景技術】
【０００２】
ロングタームエボリューション（Long Term Evolution；以下、ＬＴＥと称する）技術は、２個のデュプレッシングモード、すなわち周波数分割デュプレッシング（Frequency Division Duplexing：以下‘ＦＤＤ’と称する）及び時分割デュプレッシング（ＴＤＤ）をサポートする。
【０００３】
図１は、ＬＴＥ ＴＤＤシステムのフレーム構造を概略的に示した図である。
図１を参照すると、各無線フレームの長さは、１０ｍｓである。各無線フレームは、２個のハーフフレームで同一に分割され、各ハーフフレームの長さは、５ｍｓである。各ハーフフレームは、０．５ｍｓの８個のタイムスロットと３個の空間ドメイン（special domain）を含む。上記３個の空間ドメインの全体長さは、１ｍｓである。３個の空間ドメインは、それぞれダウンリンクパイロットタイムスロット（Downlink pilot timeslot：以下‘ＤｗＰＴＳ’と称する）、保護区間（Guard period：以下‘ＧＰ’と称する）及びアップリンクパイロットタイムスロット（Uplink pilot timeslot：以下‘ＵｐＰＴＳ’と称する）であり、各サブフレームは、２個の連続的なタイムスロットで構成される。
【０００４】
上記ＴＤＤシステムでの送信は、基地局（base station）からユーザ端末機（User Equipment：以下‘ＵＥ’と称する）への送信（ダウンリンクと称する）とＵＥから基地局への送信（アップリンクと称する）を含む。
【０００５】
図１に示されているフレーム構造に基づいて、上記アップリンク及びダウンリンクは、それぞれ１０ｍｓ内で１０個のサブフレームを共有し、各サブフレームは、アップリンクのために構成されるか、またはダウンリンクのために構成される。アップリンクのために構成されたサブフレームは、アップリンクサブフレームと称し、ダウンリンクのために構成されたサブフレームは、ダウンリンクサブフレームと称する。
【０００６】
ＴＤＤシステムは、表１に示したように、７個のＴＤＤアップリンク／ダウンリンク構成をサポートし、表１で、Ｄは、ダウンリンクサブフレームを示し、Ｕは、アップリンクサブフレームを示し、Ｓは、上記３個の空間ドメインを含む特定のサブフレームを示す。
【０００７】
【表１】
2015508246.tif 000003
【０００８】
ＬＴＥ ＴＤＤシステムは、ハイブリッド自動再送要求（Hybrid Automatic Retransmission reQuest：以下‘ＨＡＲＱ’と称する）メカニズムをサポートし、次のような基本原則をサポートする。基地局は、ＵＥに対するアップリンクリソースを割り当てる。ＵＥは、アップリンクリソースを使用してアップリンクデータを上記基地局に送信する。基地局は、アップリンクデータを受信し、ＨＡＲＱ指示情報をＵＥに送信する。ＵＥは、ＨＡＲＱ指示情報によって上記アップリンクデータを再送信する。特に、ＵＥは、ＰＵＳＣＨを通して上記アップリンクデータを伝達し、基地局は、ＰＵＳＣＨ、すなわち上記アップリンクグラント（Uplink Grant：以下‘ＵＬグラント’と称する）のスケジューリング及び制御情報をダウンリンク物理制御チャンネル（Physical Downlink Control Channel：以下‘ＰＤＣＣＨ’と称する）を通して伝達し、基地局は、ＨＡＲＱ指示情報を物理ＨＡＲＱ指示子チャンネル（Physical HARQ Indicator Channel： 以下‘ＰＨＩＣＨ’と称する）を通して伝達する。上述したようなプロセスで、一つの送信でＰＵＳＣＨのタイミング位置と連続する再送信タイミング位置は、予め構成されたタイミング関係に基づいて決定され、上記予め構成されたタイミング関係は、ＵＬグラントからＰＵＳＣＨへのタイミング関係と、ＰＨＩＣＨからＰＵＳＣＨへのタイミング関係と、ＰＵＳＣＨからＰＨＩＣＨへのタイミング関係を含む。上述した３個のタイミング関係は、以下でＰＵＳＣＨタイミング関係と称する。
【０００９】
まず、ＬＴＥ又はＬＴＥ−Ａ（LTE-Advanced：以下‘ＬＴＥ−Ａ’と称する）で、ＵＬグラント又はＰＨＩＣＨからＰＵＳＣＨへのタイミング関係に対して説明する。
ＵＬグラントからＰＵＳＣＨへのタイミング関係に対して、ＵＥは、ダウンリンクサブフレームｎ（ｎは、サブフレームのインデックス番号であり、以下では、同一である）でＵＬグラントを受信し、ＵＬグラントは、アップリンクサブフレームｎ＋ｋ内で、ＰＵＳＣＨを制御するために使用される。ｋの値は、下記の表２に定義されている。特に、ＴＤＤアップリンク／ダウンリンク構成（又は簡略に‘アップリンク／ダウンリンク構成’と称する）１乃至６に対して、該当アップリンクサブフレームの個数は、該当ダウンリンクサブフレームの個数以下であり（Ｓフレームは、ダウンリンクサブフレームとして使用され得る）、任意のダウンリンクサブフレームｎに対して、固有なＰＵＳＣＨタイミング関係が表２に反映されているｋの固有値により構成されることができる。ここで、ＰＵＳＣＨはダウンリンクサブフレーム内でスケジューリングされることができないか、１個のアップリンクサブフレーム内のＰＵＳＣＨのみがスケジューリングされることができる。ＴＤＤアップリンク／ダウンリンク構成０に対して、上記アップリンクサブフレームの個数が上記ダウンリンクサブフレームの個数より大きく、各ダウンリンクサブフレームのＰＤＣＣＨは、２個のアップリンクサブフレーム内のＰＵＳＣＨをスケジューリングすることを必要とし、したがって、上記値ｋは、固有でないことがある。上記アップリンクインデックス（Uplink index：以下‘ＵＬインデックス’と称する）技術は、ＰＤＣＣＨで２個のアップリンクサブフレーム内のＰＵＳＣＨのスケジューリングをサポートすることが必要であり、相異なるｋ値は、相異なるＰＵＳＣＨをインデキシングするために使用される。例えば、ＵＥがダウンリンクサブフレーム０内でＰＤＣＣＨを受信する場合、ＰＤＣＣＨは、アップリンクサブフレーム４及び／またはアップリンクサブフレーム７内でＰＵＳＣＨをスケジューリングし、ＵＥがダウンリンクサブフレーム１内でＰＤＣＣＨを受信する場合、ＰＤＣＣＨは、アップリンクサブフレーム７及び／またはアップリンクサブフレーム８内でＰＵＳＣＨをスケジューリングする。
【００１０】
【表２】
2015508246.tif 000004
【００１１】
表２：ＵＬグラントからＰＵＳＣＨへのタイミング関係
ＬＴＥ及びＬＴＥ−Ａで、ＰＨＩＣＨからＰＵＳＣＨへのタイミング関係に対して、ＰＨＩＣＨリソースブロック（resources block）は、各アップリンクサブフレーム内で、ＰＵＳＣＨに独立的に割り当てられる。ＵＥは、ダウンリンクサブフレームｎ内でＰＨＩＣＨを受信し、ＰＨＩＣＨは、アップリンクサブフレームｎ＋ｊ内でＰＵＳＣＨを制御するために使用される。ｊの値は、表３に定義されている。特に、ＴＤＤアップリンク／ダウンリンク構成１乃至６に対して、上記アップリンクサブフレームの個数は、上記ダウンリンクサブフレームの個数以下であり、任意のダウンリンクサブフレームｎに対して、固有ＰＵＳＣＨタイミング関係がｊの固有値により構成されることができ、表３に反映されていることは、ＰＨＩＣＨリソースブロックは、ダウンリンクサブフレーム内で構成されることができないか、又は１個のアップリンクサブフレームのみのＰＨＩＣＨリソースブロックが構成されることができるということである。ＴＤＤアップリンク／ダウンリンク構成０に対して、上記アップリンクサブフレームの個数が上記ダウンリンクサブフレームの個数より大きく、したがって、上記ｊの値は、固有であり得なく、ここで、２個のＰＨＩＣＨリソースブロックがダウンリンクサブフレーム０及びダウンリンクサブフレーム５内で構成され、すなわちＰＨＩＣＨリソースブロック０とＰＨＩＣＨリソースブロック１と、相異なるｊ値が相異なるＰＨＩＣＨリソースに対して使用される。例えば、ＵＥがダウンリンクサブフレーム０内で、ＰＨＩＣＨを受信する場合、アップリンクサブフレーム４及び／またはアップリンクサブフレーム７内のＰＵＳＣＨがトリガー（trigger）される。
【００１２】
【表３】
2015508246.tif 000005
【００１３】
表３：ＰＨＩＣＨからＰＵＳＣＨへのタイミング関係
第２に、ＬＴＥ及びＬＴＥ−Ａで、ＰＵＳＣＨからＰＨＩＣＨへのタイミング関係に対して説明する。
ＴＤＤアップリンク／ダウンリンク構成１乃至６に対して、ＵＥがダウンリンクサブフレームｎ内で、ＰＨＩＣＨを受信する場合、ＰＨＩＣＨは、アップリンクサブフレームｎ−ｈ内で、ＰＵＳＣＨのＨＡＲＱ−ＡＣＫ情報を示し、ｈ値は、下記の表４に表した通りである。
【００１４】
ＴＤＤアップリンク／ダウンリンク構成０に対して、２個のＰＨＩＣＨリソースブロックが構成されるために、ＵＥが上記ダウンリンクサブフレームｎ内のＰＨＩＣＨリソースブロック０で、ＰＨＩＣＨを受信する場合、ＰＨＩＣＨは、表４に表したようなｈの定義に従うアップリンクサブフレームｎ−ｈ内で、ＰＵＳＣＨを制御することができる。ＵＥがダウンリンクサブフレーム０又はダウンリンクサブフレーム５内で、ＰＨＩＣＨリソースブロック１で、ＰＨＩＣＨを受信する場合、ＰＨＩＣＨは、アップリンクサブフレームｎ−６内で、ＰＵＳＣＨ送信を制御する。
【００１５】
【表４】
2015508246.tif 000006
【００１６】
表４：ＰＵＳＣＨからＰＨＩＣＨへのタイミング関係
上記タイミング関係の上記３個の表（表２、表３、表４）によって、ＰＵＳＣＨタイミング関係は、セルが特定のＴＤＤアップリンク／ダウンリンク構成を適用する場合に決定されることができ、したがって、ＰＵＳＣＨ送信は、ＰＵＳＣＨタイミング関係によって達成されることができる。
【００１７】
しかし、データ伝達レートでユーザの要求事項がより高くなっており、またＬＴＥ−Ａ技術が提案されたことがある。ＬＴＥ−Ａで、より大きな帯域幅が複数のコンポーネントキャリア（Component Carrier：以下‘ＣＣ’と称する）の組合せを通して達成され、このような技術は、キャリアアグリゲーション（以下‘ＣＡ’と称する）と称する。例えば、１００ＭＨｚ帯域幅は、５個の２０ＭＨｚ ＣＣの組合せを通して獲得することができる。ここで、各ＣＣは、セルと称する。上記基地局は、ＵＥが一つ以上のセルで動作するようにするために構成され、上記一つ以上のセルで１個のセルは、基本セル（Primary cell：以下‘Ｐセル’と称する）として知られて、他のセルは、第２のセル（Secondary Cell：以下‘Ｓセル’と称する）として知られている。
【００１８】
ＣＡを使用する上記ＴＤＤシステムに対して、同一のＴＤＤアップリンク／ダウンリンク構成を使用する１個の組合せを使用して複数のセルを生成することにより、ＬＴＥで１個のセルに対して構成されたＰＵＳＣＨタイミング関係は、全体的に再使用されることができる。
【００１９】
また、２個のスケジューリングポリシーがＬＴＥ−Ａで定義され、第１のポリシーは、クロスキャリア（cross-carrier）スケジューリングであり、第２のポリシーは、ノンクロスキャリア（non-cross-carrier）スケジューリングである。上記クロスキャリアスケジューリングは、１個のセルで、ＰＤＳＣＨデータ送信が他のセルにより送信されたＰＤＣＣＨによりスケジューリングされるということを表し、ノンクロスキャリアスケジューリングは、１個のセルで、ＰＤＳＣＨデータ送信が上記セル自身により送信されたＰＤＣＣＨによりスケジューリングされるということを表す。
【００２０】
これとは異なり、上記キャリアアグリゲーションされたセルに対するＴＤＤアップリンク／ダウンリンク構成が正確に同一の条件に対して、上記クロスキャリアスケジューリングは、図２に示したように上記ノンクロスキャリアスケジューリングで、ＰＵＳＣＨタイミング関係で全体的に再使用されることができる。
図２は、上記クロスキャリアスケジューリング及び上記ノンクロスキャリアスケジューリングを概略的に示しているダイアグラムである。
【００２１】
図２を参照すると、セル１及びセル２の両方は、ＴＤＤアップリンク／ダウンリンク構成１を適用する。上記ノンクロスキャリアスケジューリングに対して、セル２で、ＵＥは、ＵＬグラントによりスケジューリングされるセル２のＰＵＳＣＨデータを受信する。上記クロスキャリアスケジューリングに対して、セル１で、ＵＥは、ＵＬグラントによりスケジューリングされるセル２のＰＵＳＣＨデータを受信する。
【００２２】
ＣＡを使用するＴＤＤシステムで、上記キャリアアグリゲーションされたセルのＴＤＤアップリンク／ダウンリンク構成が正確に同一であるという環境下で、上記クロスキャリアスケジューリングで、又は、上記ノンクロスキャリアスケジューリングで、ＰＵＳＣＨタイミング関係は、上記プロトコルを修正しなくても、ＣＡを適用しない、上述したようなＴＤＤシステムでＰＵＳＣＨタイミング関係で再使用できることが分かる。
【００２３】
現在の研究で、上記キャリアアグリゲーションされたセルのＴＤＤアップリンク／ダウンリンク構成が正確に同一でない場合、隣接チャンネル干渉を減少させる利得がある。したがって、ＬＴＥ−Ａに対する重要な課題は、上記キャリアアグリゲーションされたセルのＴＤＤアップリンク／ダウンリンク構成が異なる環境下で、ＰＵＳＣＨ送信をどのように達成するかである。
【００２４】
明確に、キャリアアグリゲーションされたセルのＴＤＤアップリンク／ダウンリンク構成が正確に同一でない環境に対して、ＰＵＳＣＨタイミング関係は、簡略に全体的に再使用されることができなく、これとは異なり現在の研究結果は、このような側面でどんな解決方式も提示していない状態である。
【発明の概要】
【発明が解決しようとする課題】
【００２５】
本発明の目的は、少なくとも上述した問題点及び／又は不都合に取り組み、少なくとも以下の利便性を提供することにある。
本発明は、ＣＡ方式をサポートするセルラー無線通信システムにおけるＰＵＳＣＨ信号を送／受信する装置及び方法を提案する。
また、本発明は、ＣＡ方式をサポートするセルラー無線通信システムにおけるアップリンク／ダウンリンク構成（Uplink/Downlink Configuration：以下‘ＵＬ／ＤＬ構成’と称する）情報に対応するようにＰＵＳＣＨ信号を送／受信する装置及び方法を提案する。
また、本発明は、ＣＡ方式をサポートするセルラー無線通信システムにおける時分割デュプレッシング（ＴＤＤ）方式を考慮してＰＵＳＣＨ信号を送／受信する装置及び方法を提案する。
また、本発明は、ＣＡ方式をサポートするセルラー無線通信システムにおける基本セルまたは第２のセルを考慮してＰＵＳＣＨ信号を送／受信する装置及び方法を提案する。
【課題を解決するための手段】
【００２６】
上記のような目的を達成するために、本発明の一態様によれば、キャリアアグリゲーション（ＣＡ）方式をサポートするセルラー無線通信システムにおけるユーザ端末機（ＵＥ）がアップリンク物理共有チャンネル（ＰＵＳＣＨ）信号を送信する方法が提供される。上記方法は、アップリンク／ダウンリンク（ＵＬ／ＤＬ）構成情報に基づいて基地局にＰＵＳＣＨ信号を送信するステップを含み、時分割デュプレッシング（ＴＤＤ）方式に対して、ＵＥが１個以上のサービングセルで構成され、少なくとも２個のサービングセルのＵＬ／ＤＬ構成情報が相異であり、サービングセルが基本セルと第２のセルとのうち一つである場合、上記サービングセルに対するＵＬ／ＤＬ構成情報は、他のサービングセルに対するＵＬ／ＤＬ構成情報と上記サービングセルに対するＵＬ／ＤＬ構成情報とにより形成されるペアに基づくアップリンク−基準ＵＬ／ＤＬ構成情報として設定されることを特徴とする。
【００２７】
本発明の別の一態様によれば、キャリアアグリゲーション（ＣＡ）方式をサポートするセルラー無線通信システムにおける基地局がダウンリンク物理制御チャンネル（ＰＤＣＣＨ）信号を送信する方法が提供される。上記方法は、ユーザ端末機（ＵＥ）に対するアップリンク物理共有チャンネル（ＰＵＳＣＨ）信号送信に関連した情報であるアップリンク（ＵＬ）／ダウンリンク（ＤＬ）構成情報を含むＰＤＣＣＨ信号を上記ＵＥに送信するステップを含み、時分割デュプレッシング（ＴＤＤ）方式に対して、ＵＥが１個以上のサービングセルで構成され、少なくとも２個のサービングセルのＵＬ／ＤＬ構成情報が相異であり、サービングセルが基本セルと第２のセルとのうち一つである場合、上記サービングセルに対するＵＬ／ＤＬ構成情報は、他のサービングセルに対するＵＬ／ＤＬ構成情報と上記サービングセルに対するＵＬ／ＤＬ構成情報とにより形成されるペアに基づくアップリンク（ＵＬ）−基準ＵＬ／ＤＬ構成情報として設定されることを特徴とする。
【００２８】
本発明のさらに別の態様によれば、キャリアアグリゲーション（ＣＡ）方式をサポートするセルラー無線通信システムにおけるユーザ端末機（ＵＥ）が提供される。上記ユーザ端末機は、アップリンク／ダウンリンク（ＵＬ／ＤＬ）構成に対応するようにアップリンク基地局にＰＵＳＣＨ信号を送信する送信ユニットを含み、時分割デュプレッシング（ＴＤＤ）方式に対して、ＵＥが１個以上のサービングセルで構成され、少なくとも２個のサービングセルのＵＬ／ＤＬ構成情報が相異であり、サービングセルが基本セルと第２のセルとのうち一つである場合、上記サービングセルに対するＵＬ／ＤＬ構成情報は、他のサービングセルに対するＵＬ／ＤＬ構成情報と上記サービングセルに対するＵＬ／ＤＬ構成情報とにより形成されるペアに基づくアップリンク−基準ＵＬ／ＤＬ構成情報として設定されることを特徴とする。
【００２９】
本発明の別の一態様によれば、キャリアアグリゲーション（ＣＡ）方式をサポートするセルラー無線通信システムにおける基地局が提供される。上記基地局は、ユーザ端末機（ＵＥ）に対するアップリンク物理共有チャンネル（ＰＵＳＣＨ）信号送信に関連した情報であるアップリンク（ＵＬ）／ダウンリンク（ＤＬ）構成情報を含むＰＤＣＣＨ信号を上記ＵＥに送信する送信ユニットを含み、時分割デュプレッシング（ＴＤＤ）方式に対して、ＵＥが１個以上のサービングセルで構成され、少なくとも２個のサービングセルのＵＬ／ＤＬ構成情報が相異であり、サービングセルが基本セルと第２のセルとのうち一つである場合、上記サービングセルに対するＵＬ／ＤＬ構成情報は、他のサービングセルに対するＵＬ／ＤＬ構成情報と上記サービングセルに対するＵＬ／ＤＬ構成情報とにより形成されるペアに基づくアップリンク（ＵＬ）−基準ＵＬ／ＤＬ構成情報として設定されることを特徴とする。
【発明の効果】
【００３０】
本発明は、ＣＡ方式をサポートするセルラー無線通信システムにおけるＰＵＳＣＨ信号を送／受信することを可能にするという効果がある。
また、本発明は、ＣＡ方式をサポートするセルラー無線通信システムにおけるアップリンク／ダウンリンク構成（ＵＬ／ＤＬ構成）情報に対応するようにＰＵＳＣＨ信号を送／受信することを可能にするという効果がある。
また、本発明は、ＣＡ方式をサポートするセルラー無線通信システムにおける時分割デュプレッシング（ＴＤＤ）方式を考慮してＰＵＳＣＨ信号を送／受信することを可能にするという効果がある。
また、本発明は、ＣＡ方式をサポートするセルラー無線通信システムにおける基本セルまたは第２のセルを考慮してＰＵＳＣＨ信号を送／受信することを可能にするという効果がある。
本発明の実施形態による上記及び他の目的、特徴、及び利点は、添付の図面と共に述べる以下の詳細な説明から、一層明らかになるはずである。
【図面の簡単な説明】
【００３１】
【図１】ＬＴＥ ＴＤＤシステムのフレーム構造を概略的に示した図である。
【図２】クロスキャリアスケジューリング及びノンクロスキャリアスケジューリングを概略的に示しているダイアグラムである。
【図３】ＰＵＳＣＨを送信する方法を示している順序図である。
【図４】ＴＤＤアップリンク／ダウンリンク構成２がＴＤＤアップリンク／ダウンリンク構成１のＰＵＳＣＨタイミング関係を通してＴＤＤアップリンク／ダウンリンク構成１をスケジューリングする動作を概略的に示した図である。
【図５】ＴＤＤアップリンク／ダウンリンク構成１がＴＤＤアップリンク／ダウンリンク構成１、３のＰＵＳＣＨタイミング関係を通じてＴＤＤアップリンク／ダウンリンク構成３をスケジューリングする動作を概略的に示した図である。
【図６】ＴＤＤアップリンク／ダウンリンク構成２がＴＤＤアップリンク／ダウンリンク構成１、３、４のＰＵＳＣＨタイミング関係を通じてＴＤＤアップリンク／ダウンリンク構成４をスケジューリングする動作を概略的に示した図である。
【図７】ＴＤＤアップリンク／ダウンリンク構成２がＴＤＤアップリンク／ダウンリンク構成２、３のＰＵＳＣＨタイミング関係を通じてＴＤＤアップリンク／ダウンリンク構成３をスケジューリングする動作を概略的に示した図である。
【図８】ＴＤＤアップリンク／ダウンリンク構成３がＴＤＤアップリンク／ダウンリンク構成２、３のＰＵＳＣＨタイミング関係を通じてＴＤＤアップリンク／ダウンリンク構成２をスケジューリングする動作を概略的に示した図である。
【図９】ＴＤＤアップリンク／ダウンリンク構成６がＴＤＤアップリンク／ダウンリンク構成１のＰＵＳＣＨタイミング関係を通してＴＤＤアップリンク／ダウンリンク構成２をスケジューリングする動作を概略的に示した図である。
【図１０】ＴＤＤアップリンク／ダウンリンク構成２がＴＤＤアップリンク／ダウンリンク構成１、２のＰＵＳＣＨタイミング関係を通じてＴＤＤアップリンク／ダウンリンク構成１をスケジューリングする動作を概略的に示した図である。
【図１１】ＴＤＤアップリンク／ダウンリンク構成２が、半二重ＰセルがＴＤＤアップリンク／ダウンリンク構成０である環境下で、ＴＤＤアップリンク／ダウンリンク構成１のＰＵＳＣＨタイミング関係を通してＴＤＤアップリンク／ダウンリンク構成２をスケジューリングする動作を概略的に示した図である。
【図１２】ＴＤＤアップリンク／ダウンリンク構成２が、半二重ＰセルがＴＤＤアップリンク／ダウンリンク構成１である環境下で、ＴＤＤアップリンク／ダウンリンク構成１のＰＵＳＣＨタイミング関係を通してＴＤＤアップリンク／ダウンリンク構成２をスケジューリングする動作を概略的に示した図である。
【図１３】本発明の実施形態によるＣＡ方式をサポートするセルラー無線通信システムにおけるＵＥの内部構造を概略的に示した図である。
【図１４】本発明の実施形態によるＣＡ方式を使用するセルラー無線通信システムにおける基地局の内部構造を概略的に示した図である。
【発明を実施するための形態】
【００３２】
添付の図面を参照した下記の説明は、特許請求の範囲の記載及びこれと均等なもの範囲内で定められるような本発明の実施形態の包括的な理解を助けるために提供するものであり、この理解を助けるために様々な特定の詳細を含むが、それらは一実施形態に過ぎない。従って、本発明の範囲及び趣旨を逸脱することなく、ここに説明する実施形態の様々な変更及び修正が可能あるということは、当該技術分野における通常の知識を有する者には明らかである。また、明瞭性と簡潔性の観点から、当業者に良く知られている機能や構成に関する具体的な説明は、省略する。
【００３３】
以下の説明及び特許請求の範囲に使用する用語及び単語は、辞典的意味に限定されるものではなく、発明者により本発明の理解を明確且つ一貫性があるようにするために使用される。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
英文明細書に記載の“ａ”、“ａｎ”、及び“ｔｈｅ”、すなわち単数形は、コンテキスト中に特に明示されない限り、複数形を含むことは、当業者にはわかることである。したがって、例えば、“コンポーネント表面（a component surface）”との記載は、１つ又は複数の表面を含む。
【００３４】
本発明は、キャリアアグリゲーション（ＣＡ）方式をサポートするセルラー無線通信システムにおけるアップリンク物理共有チャンネル（ＰＵＳＣＨ）信号を送／受信する装置及び方法を提案する。
また、本発明は、ＣＡ方式をサポートするセルラー無線通信システムにおけるアップリンク／ダウンリンク構成（ＵＬ／ＤＬ構成）情報に対応するようにＰＵＳＣＨ信号を送／受信することを装置及び方法を提案する。
また、本発明は、ＣＡ方式をサポートするセルラー無線通信システムにおける時分割デュプレッシング（ＴＤＤ）方式を考慮してＰＵＳＣＨ信号を送／受信する装置及び方法を提案する。
また、本発明は、ＣＡ方式をサポートするセルラー無線通信システムにおける基本セル（primary cell）または第２のセル（Secondary Cell）を考慮してＰＵＳＣＨ信号を送／受信する装置及び方法を提案する。
【００３５】
一方、以下の説明では、本発明で提案するＰＵＳＣＨ信号送／受信装置及び方法は、ＬＴＥ−Ａ（Long Term Evolution advanced：以下‘ＬＴＥ−Ａ’と称する）移動通信システムを一例として説明するが、本発明で提案するダウンリンクデータチャンネル信号送／受信装置及び方法は、ＬＴＥ−Ａ移動通信システムだけでなく、高速ダウンリンクパケット接続（highspeed downlink packet access：以下‘ＨＳＤＰＡ’と称する）移動通信システムと、高速アップリンクパケット接続（highspeed uplink packet access：以下‘ＨＳＵＰＡ’と称する）移動通信システムと、ＬＴＥ（Long Term Evolution：以下‘ＬＴＥ’と称する）移動通信システムと、第３世代プロジェクトパートナーシップ２（3rd generation project partnership 2：以下‘３ＧＰＰ２’と称する）により提案された高速パケットデータ（highrate packet data：以下‘ＨＲＰＤ’と称する）移動通信システムと、国際電気電子技術者協会（Institute of Electrical and Electronics Engineers：以下‘ＩＥＥＥ’と称する）８０２．１６ｍ移動通信システムなどのような他のセルラー無線通信システムでも使用されることができる。
【００３６】
説明の便宜のため、ＬＴＥ−Ａ移動通信システムがＣＡ方式を使用してユーザ端末機にサービスを提供すると仮定する。
本発明の例は、主にキャリアアグリゲーションされたセル（Carrier Aggregated Cell）の時分割デュプレッシング（ＴＤＤ）アップリンクダウンリンク構成が上記キャリアアグリゲーション（以下‘ＣＡ’と称する）を使用するＴＤＤシステムで正確に同一でない環境（例えば、３個のセル中、２個のセルのＴＤＤアップリンク／ダウンリンク構成は同一であり、他のセルのＴＤＤアップリンク／ダウンリンク構成は異なる）を主に考慮する。この場合、ユーザ端末機（以下‘ＵＥ’と称する）は、１個のセル又は１個以上のセル（ＣＡ内の全てのセルあるいは一部のセル）で動作する。
【００３７】
また、２個の送信モードがＬＴＥ−Ａで定義され、第１の送信モードは、全二重（full-duplex）送信モードであり、第２の送信モードは、半二重（half-duplex）送信モードである。全二重送信モードは、サブフレーム（sub-frame）で相異なるセルに対して、一部のセルは、アップリンクサブフレームであり、一部のセルは、ダウンリンクサブフレームであり、アップリンクサブフレーム及びダウンリンクサブフレームは、同時に送信されることができることを示す。半二重送信モードは、サブフレームで相異なるセルに対して、一部のセルは、アップリンクサブフレームであり、一部のセルは、ダウンリンクサブフレームであり、アップリンクサブフレーム及びダウンリンクサブフレームは、同時に送信されることができなく、すなわち、アップリンクサブフレームが該当サブフレームで送信され、ダウンリンクサブフレームが該当サブフレームで送信されないか、又はダウンリンクサブフレームが該当サブフレームで送信され、アップリンクサブフレームが該当サブフレームで送信されないことを示す。
【００３８】
したがって、ＣＡを使用するＴＤＤシステムで、キャリアアグリゲーションされたセルのＴＤＤアップリンク／ダウンリンク構成が正確に一致しない環境下で、ＰＵＳＣＨ送信を達成するために、クロスキャリアスケジューリングであるか否かだけでなく、全二重送信モード又は半二重送信モードが適用されるかが考慮される。具体的なシナリオは、下記のようである。
【００３９】
全二重ＵＥに対して、ノンクロスキャリアスケジューリングの場合、セルのサブフレーム内のＰＵＳＣＨは、セル自体のサブフレームのダウンリンク内のＰＤＣＣＨ及びＰＨＩＣＨによりスケジューリングされ、したがって、上記セルは、既存のＬＴＥ及びＬＴＥ−Ａで同一のＴＤＤアップリンク／ダウンリンク構成を有するセルに対して構成されたＰＵＳＣＨタイミング関係によってＰＵＳＣＨ送信を達成することができる。
【００４０】
全二重ＵＥに対して、上記クロスキャリアスケジューリングの場合、ＰＤＣＣＨ及びＰＨＩＣＨを送信するセルは、本発明の実施形態でスケジューリングセル（Scheduling Cell）と称し、一般的に上記スケジューリングセルが基本セル（Primary cell：以下‘Ｐセル’と称する）である。ＰＵＳＣＨを送信するセルは、スケジューリングされるセル（Scheduled Cell）と称し、一般的に上記スケジューリングされるセルは、第２のセル（Secondary Cell：以下‘Ｓセル’と称する）である。上記スケジューリングセルのＴＤＤアップリンク／ダウンリンク構成が上記スケジューリングされるセルのＴＤＤアップリンク／ダウンリンク構成と同一な場合、ＰＵＳＣＨ送信は、既存のＬＴＥ及びＬＴＥ−Ａの同一のＴＤＤアップリンク／ダウンリンク構成を有するセルに対して構成されたＰＵＳＣＨタイミング関係によってＰＵＳＣＨ送信を達成することができ、上記セルの第１のＰＵＳＣＨデータ送信及び第１のデータ再送信は、上記セルの同一のＨＡＲＱ−ＡＣＫプロセスに存在する。しかし、上記スケジューリングセルのＴＤＤアップリンク／ダウンリンク構成が上記スケジューリングされるセルのＴＤＤアップリンク／ダウンリンク構成と同一でない場合、ＰＵＳＣＨ送信は、既存のＬＴＥ及びＬＴＥ−ＡのＰＵＳＣＨ送信関係の構成方法によって達成されることができる。
【００４１】
半二重ＵＥに対して、任意の位置で、ＰセルとＳセルのサブフレームの送信方向が異なる場合、すなわち、一つのセルがアップリンクサブフレームであり、他のセルがダウンリンクサブフレームである場合（これと反対の場合も）、Ｓセルのサブフレームは、送信されなく、Ｐセルのサブフレームのみが送信される。したがって、ＰＵＳＣＨ送信は、上記半二重ＵＥのノンクロスキャリアスケジューリング及びクロスキャリアスケジューリングの両方で、既存のＬＴＥ及びＬＴＥ−ＡのＰＵＳＣＨタイミング関係の構成方法によって達成されることができない。
【００４２】
上記のような状況に対して、本発明の一例は、図３に示したようにＰＵＳＣＨ送信方法を提供する。
図３は、本発明の実施形態によるＰＵＳＣＨを送信する方法を示している順序図である。
【００４３】
図３を参照すると、ステップ３０１で、システムにより、ＵＥに対して構成される全てのキャリアアグリゲーションされたセルのＴＤＤアップリンク／ダウンリンク構成の組合せによって、各セルのＰＵＳＣＨタイミング関係が決定される。
ステップ３０２で、各セルのＰＵＳＣＨタイミング関係によって、ＵＬグラントは、該当サブフレームのＰＤＣＣＨで受信されるか、又はＨＡＲＱ−ＡＣＫフィードバック情報は、該当サブフレームのＰＨＩＣＨで受信される。
ステップ３０３で、ＰＵＳＣＨデータは、ＰＵＳＣＨ送信関係によって各セルで該当ＰＵＳＣＨサブフレームで送信される。
【００４４】
ステップ３０１で説明されたＰＵＳＣＨタイミング関係は、ＵＬグラントとＰＵＳＣＨ間のタイミング関係と、ＰＵＳＣＨとＰＨＩＣＨ間のタイミング関係と、ＰＨＩＣＨとＰＵＳＣＨ間のタイミング関係を含む。既存のプロトコルで、７個のＴＤＤアップリンク／ダウンリンク構成のそれぞれは、ＰＵＳＣＨタイミング関係に対応する（表２、表３及び表４を参照）。上記キャリアアグリゲーションされたセルのＴＤＤアップリンク／ダウンリンク構成が同じ環境に対して、ＣＡのＰセルのＴＤＤアップリンク／ダウンリンク構成が決定される場合、全てのセルでのＰＵＳＣＨタイミング関係が決定されることができる。
【００４５】
これとは異なり、ステップ３０１で、各セルに対して、ＰＵＳＣＨタイミング関係は、上記システムによりＵＥに対して構成された、全ての上記キャリアアグリゲーションされたセルのＴＤＤアップリンク／ダウンリンク構成の組合せによって、このセルのＰＵＳＣＨタイミング関係として決定されるようにＴＤＤアップリンク／ダウンリンク構成のうち一つに対応するように決定されるべきである。この方法の一例は、次のようである。
【００４６】
１．クロスキャリアスケジューリングであり、ＵＥがプールデュプレックスである環境下で、
上記クロスキャリアスケジューリングは、ＵＬグラントあるいは端末機によるＰＤＣＣＨからのＨＡＲＱ−ＡＣＫを受信するセルがＰＵＳＣＨデータを送信するセルとは異なるということを表す。ＵＬグラントあるいはＨＡＲＱ−ＡＣＫを受信するセルは、スケジューリングセルと称し、これとは異なり、ＰＵＳＣＨデータを送信するセルは、スケジューリングされるセルと称する。また、上記スケジューリングセルは、ＰセルあるいはＳセルであり、ＳセルのＴＤＤアップリンク／ダウンリンク構成は、上記スケジューリングされるセルのＴＤＤアップリンク／ダウンリンク構成とは異なるが、ＰセルのＴＤＤアップリンク／ダウンリンク構成とは、同一である。ここで、上記スケジューリングされるセルは、Ｓセルである。
【００４７】
このような環境下で、上記スケジューリングセルに対して、上記スケジューリングセルのＴＤＤアップリンク／ダウンリンク構成に該当するＰＵＳＣＨタイミング関係は、上記スケジューリングセルのＰＵＳＣＨタイミング関係として決定される。
【００４８】
上記スケジューリングされるセルに対して、本発明の実施例１−１のように、上記スケジューリングされるセルは、既存のプロトコルで定義された７個のＴＤＤアップリンク／ダウンリンク構成に対応するように、下記のような規則によって上記スケジューリングされるセルのＰＵＳＣＨタイミング関係で処理されることができるＰＵＳＣＨタイミング関係を選択することができる。
【００４９】
まず、選択条件は、次の条件１を満足すべきである。
条件１：
上記スケジューリングされるセルがＴＤＤアップリンク／ダウンリンク構成１、２、３、４、５のうち一つである場合、同一のＨＡＲＱプロセスＩＤを有するクロスキャリアスケジューリングされるＰＵＳＣＨに対して、ＰＵＳＣＨ送信が位置するサブフレームの連続した個数は、同一である。上記スケジューリングされるセルがＴＤＤアップリンク／ダウンリンク構成０、６のうち一つである場合、同一のＨＡＲＱプロセスＩＤを有する上記クロスキャリアスケジューリングされるＰＵＳＣＨに対して、ＰＵＳＣＨ送信が位置するサブフレームのシリアル番号は、相異であることも、同一であることもできる。
【００５０】
上記のような条件１を満足させることが必要な理由は、既存のプロトコルのプロビジョン（provision）に対応するように、ＴＤＤアップリンク／ダウンリンク構成１、２、３、４、５で、ＨＡＲＱプロセスＩＤのアップリンクＰＵＳＣＨとＰＵＳＣＨを送信するために使用されるアップリンクサブフレーム間の対応関係は、連続したデータ伝達プロセスでシリアル番号の無線フレームの変更と共に変更されないからである。その上、各ＰＤＣＣＨスケジューリングで、ＰＵＳＣＨに該当するＰＤＣＣＨで送信されるＵＬグラントが位置するダウンリンクサブフレームとＰＵＳＣＨ送信が位置するアップリンクサブフレーム間の時区間は、必ず４ｍｓより大きいか、同一でなければならない。
【００５１】
ＴＤＤアップリンク／ダウンリンク構成１、２、３、４、５のうち一つのセルで、レガシー（Legacy）ＵＥとクロスキャリアスケジューリングをサポートするＵＥが同時に存在することがあるために、同一のＨＡＲＱプロセスを有する各ＵＥのＰＵＳＣＨが連続的なデータ伝達プロセスで位置するサブフレームの位置が同一であるということを保障できない場合、例えば、上記同一のＨＡＲＱプロセスを有する各ＵＥのＰＵＳＣＨが連続的なデータ伝達プロセスで位置するサブフレームがＴＤＤアップリンク／ダウンリンク構成０と６のうち一つに対応するＰＵＳＣＨタイミング関係に従う上記クロスキャリアスケジューリングをサポートするＵＥによりスケジューリングされた場合、全てのＵＥそれぞれのＨＡＲＱプロセスＩＤのＰＵＳＣＨが位置するアップリンクサブフレームと上記アップリンクサブフレームに対応するＰＤＣＣＨアップリンク指示（ＰＤＣＣＨスケジューリングの場合）間の時区間は、４ｍｓより大きいか、あるいは同一であるということを保障できない。しかし、条件１が満足な場合、そして各ＰＤＣＣＨスケジューリングが既存のプロトコルと互換でき、既存のプロトコルで説明されている上記時区間に対する制限を破棄しないことができる場合、各ＰＤＣＣＨスケジューリングは、既存のプロトコルを修正する必要がない。
【００５２】
上述したような条件１を満足することに基づいて、満足されるべき条件２は、アップリンクサブフレームの最大個数が上記選択されたＴＤＤアップリンク／ダウンリンク構成に対応するＰＵＳＣＨタイミング関係によってスケジューリングされることができるということである。上記満足されるべき条件２は、上記最大個数のアップリンクフレームのＰＵＳＣＨがスケジューリングされることを保障することができ、したがって、ＵＥのアップリンクピーク（peak）処理量は、改善される。
【００５３】
本発明の一実施形態による方法で、上述したような条件１を満足させることに基づいて、上述したような条件２を満足させる候補ＴＤＤアップリンク／ダウンリンク構成は、同時に固有ではない。この場合、本発明の一実施形態によれば、上記ＴＤＤアップリンク／ダウンリンク構成に対応するＰＵＳＣＨタイミング関係は、下記のような優先順位によってスケジューリングされるセルのＰＵＳＣＨタイミング関係として選択される。
【００５４】
スケジューリング可能なアップリンクサブフレームの個数が同一な場合、上記スケジューリングセルＴＤＤ構成に対応するＰＵＳＣＨタイミング関係の優先順位＞上記スケジューリングされるセルＴＤＤ構成に対応するＰＵＳＣＨタイミング関係の優先順位＞他のＴＤＤ構成に対応するＰＵＳＣＨタイミング関係などの関係が成立する。
上述したような優先順位は、本発明の一つの具現方式であるだけであり、他の優先順位具現方式が本発明の権利保護範囲に属することもできる。
【００５５】
上述したような方法によって、上記スケジューリングされるセルのＴＤＤアップリンク／ダウンリンク構成に対する相異なる環境に対して、本発明の方法は、下記のように追加的に説明されることができる。
上記スケジューリングされるセルのＴＤＤアップリンク／ダウンリンク構成がＴＤＤアップリンク／ダウンリンク構成０である場合、ＴＤＤアップリンク／ダウンリンク構成０に対応するＰＵＳＣＨタイミング関係が上記スケジューリングされるセルのＰＵＳＣＨタイミング関係として処理される。
【００５６】
上記スケジューリングされるセルのＴＤＤアップリンク／ダウンリンク構成がＴＤＤアップリンク／ダウンリンク構成６であり、上記スケジューリングセルのＴＤＤアップリンク／ダウンリンク構成がＴＤＤアップリンク／ダウンリンク構成０でないＴＤＤアップリンク／ダウンリンク構成の場合、ＴＤＤアップリンク／ダウンリンク構成６に対応するＰＵＳＣＨタイミング関係は、上記スケジューリングされるセルのＰＵＳＣＨタイミング関係として処理される。
【００５７】
上記スケジューリングされるセルのＴＤＤアップリンク／ダウンリンク構成がＴＤＤアップリンク／ダウンリンク構成０及び６以外の他のＴＤＤアップリンク／ダウンリンク構成の場合、すなわちＴＤＤアップリンク／ダウンリンク構成１、２、３、４、５のうち一つである場合、上記スケジューリングされるセルのＰＵＳＣＨタイミング関係は、下記のような規則によって検索される。
ａ）上記スケジューリングセルのダウンリンクフレームの個数及び位置に基づいて、ＴＤＤアップリンク／ダウンリンク構成に対応するＰＵＳＣＨタイミング関係は、上記最大個数のアップリンクサブフレームがスケジューリングできることによって、ＴＤＤアップリンク／ダウンリンク構成１、２、３、４、５のうちから選択され、上記スケジューリングされるセルのＰＵＳＣＨタイミング関係として処理される。
ｂ）上記スケジューリングセルのＰＵＳＣＨタイミング関係を含む、条件ａ）を満足させるＰＵＳＣＨタイミング関係が多様に存在する場合、上記スケジューリングセルのＰＵＳＣＨタイミング関係が優先的に選択される。
ｃ）上記スケジューリングセルのＰＵＳＣＨタイミング関係を含まず、上記スケジューリングされるセルのＰＵＳＣＨタイミング関係を含む、上記条件ａ）を満足させるＰＵＳＣＨタイミング関係が多様に存在する場合、上記スケジューリングされるセルのＰＵＳＣＨタイミング関係が優先的に選択される。
【００５８】
上記スケジューリングされるセルのＴＤＤアップリンク／ダウンリンク構成がＴＤＤアップリンク／ダウンリンク構成６であり、上記スケジューリングセルのＴＤＤアップリンク／ダウンリンク構成がＴＤＤアップリンク／ダウンリンク構成０である場合、一つの具現方式は、ＴＤＤアップリンク／ダウンリンク構成０に対応するＰＵＳＣＨタイミング関係を使用するものである（具現方式Ａ）。もう一つの具現方式は、ＴＤＤアップリンク／ダウンリンク構成６に対応するＰＵＳＣＨタイミング関係を使用するものである（具現方式Ｂ）。
【００５９】
上述したような方法によって、上記スケジューリングされるセルのＴＤＤアップリンク／ダウンリンク構成に対する相異なる環境に対して、上記選択されたＰＵＳＣＨタイミング関係に対応するＴＤＤアップリンク／ダウンリンク構成は、表５（具現方式Ａに対応する）又は表６（具現方式Ｂに対応する）のような形態で表すことができる。
【００６０】
【表５】
2015508246.tif 000007
【００６１】
表５：全二重クロスキャリアスケジューリング下で、実施例１−１によって上記スケジューリングされるセルのＰＵＳＣＨタイミング関係の選択表（具現方式Ａに対応する）
【００６２】
【表６】
2015508246.tif 000008
【００６３】
表６：全二重クロスキャリアスケジューリング下で、実施例１−１によって上記スケジューリングされるセルのＰＵＳＣＨタイミング関係の選択表（具現方式Ｂに対応する）
【００６４】
例えば、上記スケジューリングセルがＴＤＤアップリンク／ダウンリンク構成２であり、上記スケジューリングされるセルがＴＤＤアップリンク／ダウンリンク構成１である場合、上記スケジューリングされるセルの４個のアップリンクフレームがＴＤＤアップリンク／ダウンリンク構成１のＰＵＳＣＨタイミング関係によってスケジューリングされることができ、これに対して２個のアップリンクサブフレームがＴＤＤアップリンク／ダウンリンク構成２、３、４のＰＵＳＣＨタイミング関係のうちいずれか一つによってスケジューリングされることができ、１個のアップリンクサブフレームがＴＤＤアップリンク／ダウンリンク構成５のＰＵＳＣＨタイミング関係によってスケジューリングされることができ、したがって、ＴＤＤアップリンク／ダウンリンク構成１に従うＰＵＳＣＨタイミング関係が上記スケジューリングされるセルのＰＵＳＣＨタイミング関係として使用される。図４に示したように、矢印“Ｃｎｆ１”は、矢印“Ｃｎｆ１”がＴＤＤアップリンク／ダウンリンク構成１のＰＵＳＣＨタイミング関係によってスケジューリングされるということを表す。
【００６５】
上記スケジューリングセルがＴＤＤアップリンク／ダウンリンク構成１であり、上記スケジューリングされるセルがＴＤＤアップリンク／ダウンリンク構成３である場合、上記スケジューリングセルのＴＤＤアップリンク／ダウンリンク構成に該当するＰＵＳＣＨタイミング関係が優先順位を使用して選択される環境下では、２個のアップリンクフレームがＴＤＤアップリンク／ダウンリンク構成１及び３に対応するＰＵＳＣＨタイミング関係のうちいずれか一つによってスケジューリングされることができ、したがって、ＴＤＤアップリンク／ダウンリンク構成１に対応するＰＵＳＣＨタイミング関係が上記スケジューリングされるセルのＰＵＳＣＨタイミング関係として選択される。図５に示したように、矢印“Ｃｎｆ３”は、矢印“Ｃｎｆ３”がＴＤＤアップリンク／ダウンリンク構成３のＰＵＳＣＨタイミング関係によってスケジューリングされるということを示し、矢印“Ｃｎｆ１”は、矢印“Ｃｎｆ１”がＴＤＤアップリンク／ダウンリンク構成１のＰＵＳＣＨタイミング関係によってスケジューリングされるということを示し、それ以外の図面でも同じ意味を表す。
【００６６】
上記スケジューリングセルがＴＤＤアップリンク／ダウンリンク構成２であり、上記スケジューリングされるセルがＴＤＤアップリンク／ダウンリンク構成４である場合、上記スケジューリングされるセルの２個のアップリンクサブフレームがＴＤＤアップリンク／ダウンリンク構成１、３、４のＰＵＳＣＨタイミング関係のうちいずれか一つによってスケジューリングされることができ、これとは異なり１個のアップリンクサブフレームは、ＴＤＤアップリンク／ダウンリンク構成２に対応するＰＵＳＣＨタイミング関係によってスケジューリングされ、上記スケジューリングされるセルは、ＴＤＤアップリンク／ダウンリンク構成４であり、したがって、ＴＤＤアップリンク／ダウンリンク構成４に対応するＰＵＳＣＨタイミング関係は、図６に示したように上記スケジューリングされるセルのＰＵＳＣＨタイミング関係として使用される。
【００６７】
その上、クロスキャリアスケジューリングが使用され、ＵＥが全二重である環境下で、上記スケジューリングされるセルに対して、下記のような他の具現方式を使用することができる。
本発明の実施例１−２のように、既存のプロトコルで定義された７つのＴＤＤアップリンク／ダウンリンク構成に対応するＰＵＳＣＨタイミング関係のうちから１個のＰＵＳＣＨタイミング関係が選択されることができ、上記選択されたＰＵＳＣＨタイミング関係は、下記のような規則によって上記スケジューリングされるセルのＰＵＳＣＨタイミング関係として処理されることができる。
【００６８】
実施例１−２で、優先的に満足されるべき選択条件は、実施例１−１の条件１と同一であり、したがって、その具体的な説明は、反復しない。ただし、実施例１−２で、優先的に満足されるべき選択条件と、実施例１−１で、優先的に満足されるべき選択条件の差異点は、条件１を満足させることに基づいて、実施例１−２で、優先的に満足されるべき選択条件は、条件２を満足させる必要がないということで、下記のような選択方法が使用される。
【００６９】
ＰＵＳＣＨタイミング関係は、最大個数のアップリンクサブフレームがスケジューリングできるということによって、上記スケジューリングセルのＴＤＤアップリンク／ダウンリンク構成に対応するＰＵＳＣＨタイミング関係及び上記スケジューリングされるセルのＴＤＤアップリンク／ダウンリンク構成に対応するＰＵＳＣＨタイミング関係から選択され、上記スケジューリングされるセルのＰＵＳＣＨのＰＵＳＣＨタイミング関係として処理される。上記スケジューリングセルのＴＤＤアップリンク／ダウンリンク構成に対応するＰＵＳＣＨタイミング関係によってスケジューリングされるアップリンクサブフレームの個数が上記スケジューリングされるセルのＴＤＤアップリンク／ダウンリンク構成に対応するＰＵＳＣＨタイミング関係によってスケジューリングされるアップリンクサブフレームの個数と同一な場合、上記スケジューリングセルのＴＤＤアップリンク／ダウンリンク構成に該当するＰＵＳＣＨタイミング関係が上記スケジューリングされるセルのＰＵＳＣＨタイミング関係として選択される。
【００７０】
上述したような方法によって、上記スケジューリングされるセルのＴＤＤアップリンク／ダウンリンク構成に対する相異なる環境に対して、本発明の方法は、下記のようにより具体的に説明されることができる。
上記スケジューリングされるセルのＴＤＤアップリンク／ダウンリンク構成がＴＤＤアップリンク／ダウンリンク構成０である場合、ＴＤＤアップリンク／ダウンリンク構成０に対応するＰＵＳＣＨタイミング関係が使用される。
【００７１】
上記スケジューリングされるセルのＴＤＤアップリンク／ダウンリンク構成がＴＤＤアップリンク／ダウンリンク構成０、６以外の他のＴＤＤアップリンク／ダウンリンク構成であり、すなわちＴＤＤアップリンク／ダウンリンク構成１、２、３、４、５のうち一つであり、上記スケジューリングセルのＴＤＤアップリンク／ダウンリンク構成がＴＤＤアップリンク／ダウンリンク構成０、６以外の他のＴＤＤアップリンク／ダウンリンク構成の場合、上記スケジューリングされるセルの最大個数のアップリンクフレームがスケジューリングできるということによって、ＰＵＳＣＨタイミング関係は、上記スケジューリングセルのＴＤＤアップリンク／ダウンリンク構成に対応するＰＵＳＣＨタイミング関係及び上記スケジューリングされるセルのＴＤＤアップリンク／ダウンリンク構成に対応するＰＵＳＣＨタイミング関係から選択され、上記スケジューリングされるセルのＰＵＳＣＨタイミング関係として処理される。上記スケジューリングセルによりスケジューリングされるアップリンクサブフレームの個数と上記スケジューリングされるセルによりスケジューリングされるアップリンクサブフレームの個数が同一な場合、上記スケジューリングセルのＰＵＳＣＨタイミング関係が優先順位を使用して選択される（他の考慮事項に対して、例えば、スケジューリングアルゴリズムを簡略化させるために、クロスキャリアスケジューリングＵＥのＰＵＳＣＨタイミング関係は、スケジューリングされるセル内のノンクロスキャリアスケジューリングＵＥのＰＵＳＣＨタイミング関係と同一に設定され、上記スケジューリングされるセルのＰＵＳＣＨタイミング関係が優先順位を使用して選択され、これも本発明の権利範囲に属する）。
【００７２】
上記スケジューリングされるセルのＴＤＤアップリンク／ダウンリンク構成がＴＤＤアップリンク／ダウンリンク構成０、６以外の他のＴＤＤアップリンク／ダウンリンク構成であり、すなわちＴＤＤアップリンク／ダウンリンク構成１、２、３、４、５のうち一つであり、上記スケジューリングセルのＴＤＤアップリンク／ダウンリンク構成がＴＤＤアップリンク／ダウンリンク構成０、６のうち一つである場合、上記スケジューリングされるセルのＰＵＳＣＨタイミング関係が優先順位を使用して選択され、上記スケジューリングされるセルによりスケジューリングされるアップリンクサブフレームの個数は、０と同一であり、上記スケジューリングされるセルの最大個数のアップリンクフレームがスケジューリングできるということによって、ＴＤＤアップリンク／ダウンリンク構成１、２、３、４、５のうちから選択されたＴＤＤアップリンク／ダウンリンク構成に対応するＰＵＳＣＨタイミング関係は、上記スケジューリングされるセルのＰＵＳＣＨタイミング関係として処理される（他の考慮事項に対して、例えば、技術方式を簡略化させるために、上記スケジューリングされるセルのアップリンクサブフレームは、スケジューリングされなく、これも本発明の権利範囲に属する）。
【００７３】
上記スケジューリングされるセルのＴＤＤアップリンク／ダウンリンク構成がＴＤＤアップリンク／ダウンリンク構成６であり、上記スケジューリングセルのＴＤＤアップリンク／ダウンリンク構成がＴＤＤアップリンク／ダウンリンク構成６以外の他のＴＤＤアップリンク／ダウンリンク構成の場合、ＴＤＤアップリンク／ダウンリンク構成６のＰＵＳＣＨタイミング関係が使用される。
【００７４】
上記スケジューリングされるセルのＴＤＤアップリンク／ダウンリンク構成がＴＤＤアップリンク／ダウンリンク構成６であり、上記スケジューリングセルのＴＤＤアップリンク／ダウンリンク構成がＴＤＤアップリンク／ダウンリンク構成０である場合、一つの具現方式は、ＴＤＤアップリンク／ダウンリンク構成０に対応するＰＵＳＣＨタイミングを使用するものである（具現方式Ａ）。もう一つの具現方式は、ＴＤＤアップリンク／ダウンリンク構成６に対応するＰＵＳＣＨタイミング関係を使用するものである（具現方式Ｂ）。
【００７５】
上述したような方法によって、上記スケジューリングされるセルのＴＤＤアップリンク／ダウンリンク構成に対する相異なる環境に対して、該当選択されたＰＵＳＣＨタイミング関係に対応するＴＤＤアップリンク／ダウンリンク構成は、下記の表７（具現方式Ａに対応する）及び表８（具現方式Ｂに対応する）に表したようである。
【００７６】
【表７】
2015508246.tif 000009
【００７７】
表７：全二重クロスキャリアスケジューリング下の実施例１−２によって上記スケジューリングされるセルのＰＵＳＣＨタイミング関係の選択表（具現方式Ａに対応する）
【００７８】
【表８】
2015508246.tif 000010
【００７９】
表８：全二重クロスキャリアスケジューリング下の実施例１−２によって上記スケジューリングされるセルのＰＵＳＣＨタイミング関係の選択表（具現方式Ｂに対応する）
【００８０】
例えば、上記スケジューリングセルのＴＤＤアップリンク／ダウンリンク構成がＴＤＤアップリンク／ダウンリンク構成２であり、上記スケジューリングされるセルのＴＤＤアップリンク／ダウンリンク構成がＴＤＤアップリンク／ダウンリンク構成３である場合、１個のアップリンクサブフレームが上記スケジューリングセルのＴＤＤアップリンク／ダウンリンク構成に対応するＰＵＳＣＨタイミング関係によってスケジューリングされることができ、これに対して３個のアップリンクサブフレームが上記スケジューリングされるセルのＴＤＤアップリンク／ダウンリンク構成に対応するＰＵＳＣＨタイミング関係によってスケジューリングされることができ、したがって、上記スケジューリングされるセルのＴＤＤアップリンク／ダウンリンク構成に対応するＰＵＳＣＨタイミング関係が図７に示したように上記スケジューリングされるセルのＰＵＳＣＨタイミング関係として選択される。
【００８１】
上記スケジューリングセルのＴＤＤアップリンク／ダウンリンク構成がＴＤＤアップリンク／ダウンリンク構成３であり、上記スケジューリングされるセルのＴＤＤアップリンク／ダウンリンク構成がＴＤＤアップリンク／ダウンリンク構成２である場合、上記スケジューリングされるセルの１個のアップリンクフレームのみが上記スケジューリングセルのＴＤＤアップリンク／ダウンリンク構成に対応するＰＵＳＣＨタイミング関係によって、あるいは上記スケジューリングされるセルのＴＤＤアップリンク／ダウンリンク構成に対応するＰＵＳＣＨタイミング関係によってスケジューリングされることができ、したがって、上記スケジューリングセルのＴＤＤアップリンク／ダウンリンク構成に対応するＰＵＳＣＨタイミング関係が図８に示したように上記スケジューリングされるセルのＰＵＳＣＨタイミング関係として選択される。
【００８２】
上記スケジューリングセルのＴＤＤアップリンク／ダウンリンク構成がＴＤＤアップリンク／ダウンリンク構成６であり、上記スケジューリングされるセルのＴＤＤアップリンク／ダウンリンク構成がＴＤＤアップリンク／ダウンリンク構成２である場合、上記スケジューリングされるセルのアップリンクサブフレームの個数は、上記スケジューリングされるセルのＴＤＤアップリンク／ダウンリンク構成に対応するＰＵＳＣＨタイミング関係によってスケジューリングされることができ、これに対して、上記スケジューリングされるセルの２個のアップリンクフレームは、ＴＤＤアップリンク／ダウンリンク構成１のＴＤＤアップリンク／ダウンリンク構成に対応するＰＵＳＣＨタイミング関係によってスケジューリングされることができ、ＴＤＤアップリンク／ダウンリンク構成１のＴＤＤアップリンク／ダウンリンク構成に対応するＰＵＳＣＨタイミング関係は、最大個数のアップリンクフレームがスケジューリングできるということによるＰＵＳＣＨタイミング関係であり、したがって、ＴＤＤアップリンク／ダウンリンク構成１のＰＵＳＣＨタイミング関係は、図９に示したように上記スケジューリングされるセルのＰＵＳＣＨタイミング関係として選択される。
【００８３】
また、クロスキャリアスケジューリングであり、ＵＥが全二重である環境下で、ｅ−ＰＨＩＣＨの導入を避けるか、又はｅ−ＰＨＩＣＨ導入の如何なる可能性も避けるために、スケジューリングされるセルに対して、下記のようなもう一つの具現方式が使用されることができる。
本発明の実施例１−３でのように、下記の規則による上記スケジューリングされるセルのＰＵＳＣＨタイミング関係として処理される、既存のプロトコルで定義される７個のＴＤＤアップリンク／ダウンリンク構成に対応するＰＵＳＣＨタイミング関係のうちでＰＵＳＣＨタイミング関係を選択することができる。
【００８４】
まず、本発明の実施例１−３で、実施例１−１で条件１を満足させ、既存のプロトコルで定義される７個のＴＤＤアップリンク／ダウンリンク構成から選択される、７個のＴＤＤアップリンク／ダウンリンク構成に対応するＰＵＳＣＨタイミング関係は、候補ＰＵＳＣＨタイミング関係として処理される。実施例１−１で、条件１は、既に説明されたので、ここでは、その具体的な説明を反復しない。上記候補ＰＵＳＣＨタイミング関係が選択された後、下記のような選択方法が追加的な選択のために使用される。
【００８５】
上記スケジューリングセルのＴＤＤアップリンク／ダウンリンク構成がＴＤＤアップリンク／ダウンリンク構成０及びＴＤＤアップリンク／ダウンリンク構成６のうち一つである場合、上記スケジューリングセルのＴＤＤアップリンク／ダウンリンク構成は、実施例１−１又は実施例１−２で選択されたＰＵＳＣＨタイミング関係を通してスケジューリングされる（他の考慮事項に対して、例えば、技術方式を簡略化させるために、上記スケジューリングされるセルのアップリンクサブフレームがスケジューリングされなく、これも本発明の権利範囲に属する）。上記スケジューリングセルのＴＤＤアップリンク／ダウンリンク構成がＴＤＤアップリンク／ダウンリンク構成０又はＴＤＤアップリンク／ダウンリンク構成６である場合、上記スケジューリングされるセルの全てのアップリンクサブフレームは、上記スケジューリングセルのＴＤＤアップリンク／ダウンリンク構成に対応するＰＵＳＣＨタイミング関係によって優先順位を使用してスケジューリングされる。上記スケジューリングセルのＴＤＤアップリンク／ダウンリンク構成に対応するＰＵＳＣＨタイミング関係によってスケジューリングできないアップリンクサブフレームは、スケジューリングされないか、又は実施例１−１又は実施例１−２で選択されたＰＵＳＣＨタイミング関係によってスケジューリングされる。特に、特定のサブフレームに対して、上記スケジューリングセル及びスケジューリングされるセルの両方がアップリンクサブフレームである場合、上記特定のサブフレームは、上記スケジューリングセルのＴＤＤアップリンク／ダウンリンク構成に対応するＰＵＳＣＨタイミング関係によってスケジューリングされる。他の環境で、上記特定のサブフレームは、実施例１−１又は実施例１−２で選択されたＰＵＳＣＨタイミング関係によってスケジューリングされないか、又はスケジューリングされる。
【００８６】
上述したような方法によって、上記スケジューリングセルのＴＤＤアップリンク／ダウンリンク構成に対する他の環境に対して、本発明の方法は、下記のように追加的に説明されることができる。
【００８７】
上記スケジューリングセルのＴＤＤアップリンク／ダウンリンク構成がＴＤＤアップリンク／ダウンリンク構成０及び６のうち一つである場合、表５、表６、表７又は表８から選択された該当ＰＵＳＣＨタイミング関係は、上記スケジューリングされるセルのＰＵＳＣＨタイミング関係として処理される。例えば、上記スケジューリングセルがＴＤＤアップリンク／ダウンリンク構成０であり、上記スケジューリングされるセルがＴＤＤアップリンク／ダウンリンク構成１である場合、表５、表６、表７又は表８で、上記スケジューリングセルがＴＤＤアップリンク／ダウンリンク構成０であり、上記スケジューリングされるセルがＴＤＤアップリンク／ダウンリンク構成１である位置に該当するＰＵＳＣＨ関係が使用される（他の考慮事項に対して、例えば、技術方式を簡略化させるために、上記スケジューリングされるセルのアップリンクサブフレームがスケジューリングされなく、これも本発明の権利範囲に属する）。
【００８８】
上記スケジューリングセルのＴＤＤアップリンク／ダウンリンク構成がＴＤＤアップリンク／ダウンリンク構成０、６以外の他のＴＤＤアップリンク／ダウンリンク構成、すなわちＴＤＤアップリンク構成１、２、３、４、５のうち一つである場合、特定のサブフレームに対して、上記スケジューリングセル及びスケジューリングされるセルの両方がアップリンクサブフレームである場合、上記特定のサブフレームは、上記スケジューリングセルのＴＤＤアップリンク／ダウンリンク構成に該当するＰＵＳＣＨタイミング関係によってスケジューリングされる。上記スケジューリングセルのＰＵＳＣＨタイミング関係によりスケジューリングできない上記スケジューリングされるセルのアップリンクサブフレームに対して、上記スケジューリングセルのＰＵＳＣＨタイミング関係によりスケジューリングできない上記スケジューリングされるセルのアップリンクサブフレームは、下記のような二つの具現方式によってプロセシングされる。
【００８９】
具現方式Ｉ：上記スケジューリングセルのＰＵＳＣＨタイミング関係によりスケジューリングできない上記スケジューリングされるセルのアップリンクサブフレームは、スケジューリングされない。
具現方式ＩＩ：上記スケジューリングされるセルのＴＤＤアップリンク／ダウンリンク構成がＴＤＤアップリンク／ダウンリンク構成０、６のうち一つである場合、上記スケジューリングセルのＰＵＳＣＨタイミング関係によりスケジューリングできない上記スケジューリングされるセルのアップリンクサブフレームは、スケジューリングされない。上記スケジューリングされるセルのＴＤＤアップリンク／ダウンリンク構成がＴＤＤアップリンク／ダウンリンク構成１、２、３、４、５のうち一つである場合、上記スケジューリングセルのＰＵＳＣＨタイミング関係によりスケジューリングできない上記スケジューリングされるセルのアップリンクサブフレームは、表５、表６、表７又は表８から選択された該当ＰＵＳＣＨタイミング関係によってスケジューリングされる。
【００９０】
上述したような方法によって、上記スケジューリングセルのＴＤＤアップリンク／ダウンリンク構成に対する他の環境に対して、実施例１−１及び実施例１−２によって、具現方式Ｉの下で、上記選択されたＰＵＳＣＨタイミング関係に該当するＴＤＤアップリンク／ダウンリンク構成は、表９、表１０、表１１及び表１２に示したようである。
【００９１】
【表９】
2015508246.tif 000011
【００９２】
表９：全二重クロスキャリアスケジューリング下の実施例１−３で、具現方式Ｉによって上記スケジューリングされるセルのＰＵＳＣＨタイミング関係の選択表（実施例１−１の具現方式Ａに該当する）
【００９３】
【表１０】
2015508246.tif 000012
【００９４】
表１０：全二重クロスキャリアスケジューリング下の実施例１−３で、具現方式Ｉによって上記スケジューリングされるセルのＰＵＳＣＨタイミング関係の選択表（実施例１−１の具現方式Ｂに該当する）
【００９５】
【表１１】
2015508246.tif 000013
【００９６】
表１１：全二重クロスキャリアスケジューリング下の実施例１−３で、具現方式Ｉによって上記スケジューリングされるセルのＰＵＳＣＨタイミング関係の選択表（実施例１−２の具現方式Ａに該当する）
【００９７】
【表１２】
2015508246.tif 000014
【００９８】
表１２：全二重クロスキャリアスケジューリング下の実施例１−３で、具現方式Ｉによって上記スケジューリングされるセルのＰＵＳＣＨタイミング関係の選択表（実施例１−２の具現方式Ｂに該当する）
【００９９】
例えば、上記スケジューリングセルのＴＤＤアップリンク／ダウンリンク構成がＴＤＤアップリンク／ダウンリンク構成２であり、上記スケジューリングされるセルのＴＤＤアップリンク／ダウンリンク構成がＴＤＤアップリンク／ダウンリンク構成１である場合、上記スケジューリングされるセルのアップリンクサブフレーム２及びアップリンクサブフレーム７は、ＴＤＤアップリンク／ダウンリンク構成２に該当するＰＵＳＣＨタイミング関係によってスケジューリングされる。上記スケジューリングされるセルのアップリンクサブフレーム３及びアップリンクサブフレーム８に対して、アップリンクサブフレーム３及びアップリンクサブフレーム８は、ＴＤＤアップリンク／ダウンリンク構成２のＰＵＳＣＨタイミング関係によってスケジューリングされることができない。具現方式Ｉに従う場合、アップリンクサブフレーム３及びアップリンクサブフレーム８は、スケジューリングされない。具現方式ＩＩに従う場合、アップリンクサブフレーム３及びアップリンクサブフレーム８は、図１０に示したようにＴＤＤアップリンク／ダウンリンク構成１に該当するＰＵＳＣＨタイミング関係によってスケジューリングされる。
【０１００】
２．クロスキャリアスケジューリングが使用され、ＵＥが半二重である環境下で
任意の位置でＰセル及びＳセルのアップリンクサブフレームが相異なる送信方向を有する場合、すなわち一つのセルがアップリンクサブフレームであり、他のセルがダウンリンクサブフレームの場合（又はこれと反対の場合も同様）、Ｓセルのアップリンクサブフレームは、送信されなく、Ｐセルのサブフレームのみが送信される。
【０１０１】
このような環境下で、上記スケジューリングされるセルに対して、
上記半二重ＵＥのクロスキャリアスケジューリングに対して、上記スケジューリングセルがＰセルであるか、又は上記スケジューリングセルがＰセルと同一の周波数帯域でＳセルである場合、すなわち、ＳセルがＰセルと同一のＴＤＤアップリンク／ダウンリンク構成を有する場合、本発明の方法によって、上記スケジューリングされるセルのＰＵＳＣＨタイミング関係は、下記の二つの具現方式によって選択されることができる。
【０１０２】
実施例２−１：
上記スケジューリングセルがＴＤＤアップリンク／ダウンリンク構成０、６以外の他のＴＤＤアップリンク／ダウンリンク構成の場合、すなわちＴＤＤアップリンク／ダウンリンク構成１、２、３、４、５のうちいずれか一つの場合、上記スケジューリングセルのＴＤＤアップリンク／ダウンリンク構成に該当するＰＵＳＣＨタイミング関係は、上記スケジューリングされるセルのＰＵＳＣＨタイミング関係として選択される。
【０１０３】
上記スケジューリングセルがＴＤＤアップリンク／ダウンリンク構成０又はＴＤＤアップリンク／ダウンリンク構成６である場合、上記スケジューリングされるセルがＴＤＤアップリンク／ダウンリンク構成０、６以外の他のＴＤＤアップリンク／ダウンリンク構成の場合、すなわちＴＤＤアップリンク／ダウンリンク構成１、２、３、４、５のうちいずれか一つの場合、表５で該当位置のＰＵＳＣＨタイミング関係が使用され、例えば、上記スケジューリングセルがＴＤＤアップリンク／ダウンリンク構成０であり、上記スケジューリングされるセルがＴＤＤアップリンク／ダウンリンク構成１である場合、上記スケジューリングセルがＴＤＤアップリンク／ダウンリンク構成０であり、上記スケジューリングされるセルがＴＤＤアップリンク／ダウンリンク構成１である表５の位置に該当するＰＵＳＣＨタイミング関係が使用される。
【０１０４】
上記スケジューリングセルがＴＤＤアップリンク／ダウンリンク構成６であり、上記スケジューリングされるセルがＴＤＤアップリンク／ダウンリンク構成０である場合、ＴＤＤアップリンク／ダウンリンク構成６に該当するＰＵＳＣＨタイミング関係が上記スケジューリングされるセルのＰＵＳＣＨタイミング関係として選択される。
【０１０５】
上記スケジューリングセルがＴＤＤアップリンク／ダウンリンク構成０であり、上記スケジューリングされるセルがＴＤＤアップリンク／ダウンリンク構成６である場合、一つの具現方法（具現方法Ａ）は、ＴＤＤアップリンク／ダウンリンク構成０に該当するＰＵＳＣＨタイミング関係を上記スケジューリングされるセルのＰＵＳＣＨタイミング関係として選択するものであり、他の具現方法（具現方法Ｂ）は、ＴＤＤアップリンク／ダウンリンク構成６に該当するＰＵＳＣＨタイミング関係を上記スケジューリングされるセルのＰＵＳＣＨタイミング関係として選択するものである。
【０１０６】
上述したような実施例２−１によって、クロスキャリアスケジューリングが使用され、ＵＥが半二重である環境下で、具現方法Ａ及び具現方法Ｂによって選択されたＰＵＳＣＨタイミング関係に該当するＴＤＤアップリンク／ダウンリンク構成は、それぞれ表１３及び表１４に表したようである。
【０１０７】
【表１３】
2015508246.tif 000015
【０１０８】
表１３：半二重クロスキャリアスケジューリング下で、実施例２−１に従う上記スケジューリングされるセルのＰＵＳＣＨタイミング関係の選択表（具現方法Ａに該当する）
【０１０９】
【表１４】
2015508246.tif 000016
【０１１０】
表１４：半二重クロスキャリアスケジューリング下で、実施例２−１に従う上記スケジューリングされるセルのＰＵＳＣＨタイミング関係の選択表（具現方法Ｂに該当する）
【０１１１】
実施例２−２：
上記スケジューリングセルがＴＤＤアップリンク／ダウンリンク構成０、６以外の他のＴＤＤアップリンク／ダウンリンク構成の場合、すなわちＴＤＤアップリンク／ダウンリンク構成１、２、３、４、５のうちいずれか一つの場合、上記スケジューリングセルのＴＤＤアップリンク／ダウンリンク構成に該当するＰＵＳＣＨタイミング関係は、上記スケジューリングされるセルのＰＵＳＣＨタイミング関係として選択される。
【０１１２】
上記スケジューリングセルがＴＤＤアップリンク／ダウンリンク構成０又はＴＤＤアップリンク／ダウンリンク構成６である場合、上記スケジューリングされるセルがＴＤＤアップリンク／ダウンリンク構成０、６以外の他のＴＤＤアップリンク／ダウンリンク構成の場合、すなわちＴＤＤアップリンク／ダウンリンク構成１、２、３、４、５のうちいずれか一つの場合、表７で該当位置のＰＵＳＣＨタイミング関係が使用され、例えば、上記スケジューリングセルがＴＤＤアップリンク／ダウンリンク構成０であり、上記スケジューリングされるセルがＴＤＤアップリンク／ダウンリンク構成１である場合、上記スケジューリングセルがＴＤＤアップリンク／ダウンリンク構成０であり、上記スケジューリングされるセルがＴＤＤアップリンク／ダウンリンク構成１である表７の位置に該当するＰＵＳＣＨタイミング関係が使用される。
【０１１３】
上記スケジューリングセルがＴＤＤアップリンク／ダウンリンク構成６であり、上記スケジューリングされるセルがＴＤＤアップリンク／ダウンリンク構成０である場合、ＴＤＤアップリンク／ダウンリンク構成６に該当するＰＵＳＣＨタイミング関係が上記スケジューリングされるセルのＰＵＳＣＨタイミング関係として選択される。
【０１１４】
上記スケジューリングセルがＴＤＤアップリンク／ダウンリンク構成０であり、上記スケジューリングされるセルがＴＤＤアップリンク／ダウンリンク構成６である場合、一つの具現方法（具現方法Ａ）は、ＴＤＤアップリンク／ダウンリンク構成０に該当するＰＵＳＣＨタイミング関係を上記スケジューリングされるセルのＰＵＳＣＨタイミング関係として選択するものであり、他の具現方法（具現方法Ｂ）は、ＴＤＤアップリンク／ダウンリンク構成６に該当するＰＵＳＣＨタイミング関係を上記スケジューリングされるセルのＰＵＳＣＨタイミング関係として選択するものである。
【０１１５】
上述したような実施例２−２によって、クロスキャリアスケジューリングが使用され、ＵＥが半二重である環境下で、具現方法Ａ及び具現方法Ｂによって選択されたＰＵＳＣＨタイミング関係に該当するＴＤＤアップリンク／ダウンリンク構成は、それぞれ表１５及び表１６に表したようである。
【０１１６】
【表１５】
2015508246.tif 000017
【０１１７】
表１５：半二重クロスキャリアスケジューリング下で、実施例２−２に従う上記スケジューリングされるセルのＰＵＳＣＨタイミング関係の選択表（具現方法Ａに該当する）
【０１１８】
【表１６】
2015508246.tif 000018
【０１１９】
表１６：半二重クロスキャリアスケジューリング下で、実施例２−２に従う上記スケジューリングされるセルのＰＵＳＣＨタイミング関係の選択表（具現方法Ｂに該当する）
【０１２０】
３．ノンクロスキャリアスケジューリングが使用され、ＵＥが半二重である環境下で
スケジューリングされるセルに対して、実施例３−１のように、最大個数のアップリンクサブフレームがスケジューリングできるということによってＰＵＳＣＨタイミング関係は、優先的に上記スケジューリングされるセルのＰＵＳＣＨタイミング関係として選択される。特定規則は、下記のようである。
ＳセルのＴＤＤアップリンク／ダウンリンク構成がＴＤＤアップリンク／ダウンリンク構成０である場合、ＴＤＤアップリンク／ダウンリンク構成０に該当するＰＵＳＣＨタイミング関係は、ＳセルのＰＵＳＣＨタイミング関係として選択される。
【０１２１】
ＳセルのＴＤＤアップリンク／ダウンリンク構成がＴＤＤアップリンク／ダウンリンク構成６であり、ＰセルのＴＤＤアップリンク／ダウンリンク構成がＴＤＤアップリンク／ダウンリンク構成０である場合、ＴＤＤアップリンク／ダウンリンク構成０に該当するＰＵＳＣＨタイミング関係は、ＳセルのＰＵＳＣＨタイミング関係として選択される。ＰセルのＴＤＤアップリンク／ダウンリンク構成がＴＤＤアップリンク／ダウンリンク構成０以外の他のＴＤＤアップリンク／ダウンリンク構成の場合、すなわちＴＤＤアップリンク／ダウンリンク構成１、２、３、４、５、６のうちいずれか一つの場合、ＴＤＤアップリンク／ダウンリンク構成６に該当するＰＵＳＣＨタイミング関係は、ＳセルのＰＰＵＳＣＨタイミング関係として選択される。
【０１２２】
ＳセルのＴＤＤアップリンク／ダウンリンク構成がＴＤＤアップリンク／ダウンリンク構成０、６以外の他のＴＤＤアップリンク／ダウンリンク構成の場合、すなわちＴＤＤアップリンク／ダウンリンク構成１、２、３、４、５のうちいずれか一つの場合、ＰＵＳＣＨタイミング関係は、下記のような規則によって選択される。
ａ）Ｓセルにより使用されることができるダウンリンクフレームの個数及び位置に基づいて、Ｓセルの最大個数のアップリンクサブフレームがスケジューリングできるということによって、ＴＤＤアップリンク／ダウンリンク構成１、２、３、４、５のうち選択されたＴＤＤアップリンク／ダウンリンク構成に該当するＰＵＳＣＨタイミング関係は、スケジューリングのためのＰＵＳＣＨタイミング関係として処理される。
ｂ）条件ａ）を満足し、Ｓセルのタイミング関係を含む、多様なタイミング関係が存在する場合、ＳセルのＰＵＳＣＨタイミング関係が優先的に選択される。
【０１２３】
上述したような実施例３−１によって獲得される、上記選択されたＰＳＵＣＨタイミング関係に該当するＴＤＤアップリンク／ダウンリンク構成は、下記の表１７に表したようである。
【０１２４】
【表１７】
2015508246.tif 000019
【０１２５】
表１７：半二重ノンクロスキャリアスケジューリング下で、実施例３−１に従うＳセルのＰＵＳＣＨタイミング関係の選択表
【０１２６】
例えば、ＰセルがＴＤＤアップリンク／ダウンリンク構成０であり、ＳセルがＴＤＤアップリンク／ダウンリンク構成２である場合、２個のアップリンクサブフレームがＴＤＤアップリンク／ダウンリンク構成１に該当するＰＵＳＣＨタイミング関係によってスケジューリングされることができ、これとは異なり、ＴＤＤアップリンク／ダウンリンク構成２、３、４、５に該当するＰＵＳＣＨタイミング関係のうちいずれか一つによってスケジューリング可能なアップリンクサブフレームの個数は、全部０であり、したがって、ＴＤＤアップリンク／ダウンリンク構成１に該当するＰＵＳＣＨタイミング関係は、図１１に示したようにＳセルのＰＵＳＣＨタイミング関係として選択される。
【０１２７】
また、実施例３−２のように、ＳセルのＰＵＳＣＨタイミング関係は、ＳセルのＰＵＳＣＨタイミング関係として優先順位を使用して選択されることができる。ＳセルのＰＵＳＣＨタイミング関係によってスケジューリング可能なアップリンクサブフレームの個数が０である場合、最大個数のアップリンクサブフレームがスケジューリングできるということによって、ＰＵＳＣＨタイミング関係は、ＳセルのＴＤＤアップリンク／ダウンリンク構成に該当するタイミング関係でない３ＧＰＰ Ｒｅｌｅａｓｅ１０に定義されている６個のＰＵＳＣＨタイミング関係から選択され、上記スケジューリングされるセルのＰＵＳＣＨタイミング関係として処理される。特定規則は、下記のようである。
【０１２８】
ＳセルのＴＤＤアップリンク／ダウンリンク構成がＴＤＤアップリンク／ダウンリンク構成０であるか、又はＴＤＤアップリンク／ダウンリンク構成６である場合、ＴＤＤアップリンク／ダウンリンク構成０又はＴＤＤアップリンク／ダウンリンク構成６に該当するＰＵＳＣＨタイミング関係は、ＳセルのＰＵＳＣＨタイミング関係として使用される。
【０１２９】
ＳセルのＴＤＤアップリンク／ダウンリンク構成がＴＤＤアップリンク／ダウンリンク構成０、６以外の他のＴＤＤアップリンク／ダウンリンク構成の場合、すなわちＴＤＤアップリンク／ダウンリンク構成１、２、３、４、５のうちいずれか一つの場合、まずＳセルのＴＤＤアップリンク／ダウンリンク構成に該当するＰＵＳＣＨタイミング関係によってスケジューリング可能なアップリンクサブフレームの個数が０と同一であるか否かが判断される。ＳセルのＴＤＤアップリンク／ダウンリンク構成に該当するＰＵＳＣＨタイミング関係によってスケジューリング可能なアップリンクサブフレームの個数が０と同一でないと判断される場合、ＳセルのＴＤＤアップリンク／ダウンリンク構成に該当するＰＵＳＣＨタイミング関係は、上記スケジューリングされるセルのＰＵＳＣＨタイミング関係として選択される。ＳセルのＴＤＤアップリンク／ダウンリンク構成に該当するＰＵＳＣＨタイミング関係によってスケジューリング可能なアップリンクサブフレームの個数が０と同一であると判断される場合、最大個数のアップリンクサブフレームがスケジューリングできるということによって、ＴＤＤアップリンク／ダウンリンク構成１、２、３、４、５のうち選択されるＴＤＤアップリンク／ダウンリンク構成に該当するＰＵＳＣＨタイミング関係は、上記スケジューリングされるセルのＰＵＳＣＨタイミング関係として処理される。上述したような実施例３−２によって獲得される、選択されたＰＵＳＣＨタイミング関係に該当するＴＤＤアップリンク／ダウンリンク構成は、下記の表１８に表したようである。
【０１３０】
【表１８】
2015508246.tif 000020
【０１３１】
表１８：半二重ノンクロスキャリアスケジューリング下で、実施例３−２に従うＳセルのＰＵＳＣＨタイミング関係の選択表
【０１３２】
例えば、ＰセルがＴＤＤアップリンク／ダウンリンク構成１であり、ＳセルがＴＤＤアップリンク／ダウンリンク構成２である場合、ＴＤＤアップリンク／ダウンリンク構成２に該当するＰＵＳＣＨタイミング関係によってスケジューリング可能なアップリンクサブフレームの個数は、０であり、２個のアップリンクサブフレームがＴＤＤアップリンク／ダウンリンク構成１に該当するＰＵＳＣＨタイミング関係によってスケジューリングされることができ、これとは異なり、ＴＤＤアップリンク／ダウンリンク構成３、４、５に該当するＰＵＳＣＨタイミング関係のうちいずれか一つによってスケジューリング可能なアップリンクサブフレームの個数は、全部０であり、したがって、ＴＤＤアップリンク／ダウンリンク構成１に該当するＰＵＳＣＨタイミング関係は、図１２に示したように上記スケジューリングされるセルのＰＵＳＣＨタイミング関係として選択される。
【０１３３】
スケジューリングされるセルに対して、ノンクロスキャリアスケジューリングが使用され、ＵＥが半二重である環境下で、上記スケジューリングされるセルがＴＤＤアップリンク／ダウンリンク構成０であるか又はＴＤＤアップリンク／ダウンリンク構成６である場合、Ｐセルのアップリンクフレームが数字的な側面でより小さい場合、上記スケジューリングされるセルのアップリンク送信のために使用されることができるアップリンクフレームは、その数字的な側面でより小さく、この場合、上記スケジューリングされるセルがＴＤＤアップリンク／ダウンリンク構成０又はＴＤＤアップリンク／ダウンリンク構成６に該当するＰＵＳＣＨタイミング関係によってスケジューリングされる場合、各ＨＡＲＱプロセス時間遅延が大きいことで、したがって、上記スケジューリングされるセルのＴＤＤアップリンク／ダウンリンク構成がＴＤＤアップリンク／ダウンリンク構成０又はＴＤＤアップリンク／ダウンリンク構成６である場合、本発明は、下記のような規則によってＰＵＳＣＨタイミング関係が選択されるもう一つの実施例３−３を提供する。
【０１３４】
ＳセルのＴＤＤアップリンク／ダウンリンク構成がＴＤＤアップリンク／ダウンリンク構成０又はＴＤＤアップリンク／ダウンリンク構成６であり、ＰセルのＴＤＤアップリンク／ダウンリンク構成が特定臨界値Ｎより小さな無線フレームで、Ｐセルのアップリンクサブフレームの個数を生成する場合、最大個数のアップリンクサブフレームがスケジューリングできるということによって、ＴＤＤアップリンク／ダウンリンク構成１、２、３、４、５のうち選択されるＴＤＤアップリンク／ダウンリンク構成に該当する、ＰＵＳＣＨタイミング関係は、上記スケジューリングされるセルのＰＵＳＣＨタイミング関係として処理される。上記のような条件を満足する、多様なＰＵＳＣＨタイミング関係が存在する場合、最小ＨＡＲＱプロセスを有するＰＵＳＣＨタイミング関係は、上記スケジューリングされるセルのＰＵＳＣＨタイミング関係として選択され、ＴＤＤアップリンク／ダウンリンク構成１、２、３、４、５に該当するＰＵＳＣＨタイミング関係のうち一つによってスケジューリング可能なアップリンクサブフレームの個数が０である場合、ＳセルのＴＤＤアップリンク／ダウンリンク構成に該当するＰＵＳＣＨタイミング関係は、上記スケジューリングされるセルのＰＵＳＣＨタイミング関係として使用される。
【０１３５】
ＳセルのＴＤＤアップリンク／ダウンリンク構成がＴＤＤアップリンク／ダウンリンク構成０又はＴＤＤアップリンク／ダウンリンク構成６であり、ＰセルのＴＤＤアップリンク／ダウンリンク構成が特定臨界値Ｎより大きいか又は同一の無線フレームで、Ｐセルのアップリンクサブフレームの個数を生成する場合、上記スケジューリングされるセルのＰＵＳＣＨタイミング関係は、実施例３−１又は実施例３−２の選択方法を通じて選択されることができる。
【０１３６】
例えば、Ｎ＝３であり、ＰセルのＴＤＤアップリンク／ダウンリンク構成がＴＤＤアップリンク／ダウンリンク構成２、４、５のうちいずれか一つであると仮定する場合、最大個数のアップリンクサブフレームがスケジューリングできるということによって、ＴＤＤアップリンク／ダウンリンク構成１、２、３、４、５のうち選択されるＴＤＤアップリンク／ダウンリンク構成に該当するＰＵＳＣＨタイミング関係は、上記スケジューリングされるセルのＰＵＳＣＨタイミングで処理される。上述したような条件を満足する、多様なＰＵＳＣＨタイミング関係が存在する場合、最小ＰＵＳＣＨプロセスを有するＰＵＳＣＨタイミング関係は、上記スケジューリングされるセルのＰＵＳＣＨタイミング関係として選択される。ＴＤＤアップリンク／ダウンリンク構成１、２、３、４、５に該当するＰＵＳＣＨタイミング関係により選択されることができるアップリンクサブフレームの個数が０である場合、このセルのＴＤＤアップリンク／ダウンリンク構成に該当するＰＵＳＣＨタイミング関係が上記スケジューリングされるセルのＰＵＳＣＨタイミング関係として使用される。ＰセルのＴＤＤアップリンク／ダウンリンク構成がＴＤＤアップリンク／ダウンリンク構成０、１、３、６のうちいずれか一つの場合（ＴＤＤアップリンク／ダウンリンク構成の三つの種類のアップリンクサブフレームの個数が３より大きいか同一である場合、ここで、選択されるＴＤＤアップリンク／ダウンリンク構成がアップリンクサブフレームの個数の他の臨界値によって決定される方法も本発明の権利保護範囲に属する）、上記スケジューリングされるセルのＰＵＳＣＨタイミング関係は、実施例３−１又は実施例３−２の選択方法によって選択されることができる。
【０１３７】
実施例３−３の方法を使用する場合、Ｎ＝３である場合、実施例３−１の表１７と実施例３−２の表１８のＰＵＳＣＨタイミング関係に該当するＴＤＤアップリンク／ダウンリンク構成は、それぞれ表１９及び表２０に表したようである。
【０１３８】
【表１９】
2015508246.tif 000021
【０１３９】
表１９：半二重ノンクロスキャリアスケジューリング下で、実施例３−３に従うＳセルのＰＵＳＣＨタイミング関係の選択表（実施例３−１を使用する方式に該当する）
【０１４０】
【表２０】
2015508246.tif 000022
【０１４１】
表２０：半二重ノンクロスキャリアスケジューリング下で、実施例３−３に従うＳセルのＰＵＳＣＨタイミング関係の選択表（実施例３−２を使用する方式に該当する）
【０１４２】
また、ＴＤＤアップリンク／ダウンリンク構成０及びＴＤＤアップリンク／ダウンリンク構成６がそのＨＡＲＱラウンドトリップ時間（HARQ Round Trip Time：以下‘ＨＡＲＱ ＲＴＴ’と称する）サイクルが１０ｍｓである特定のＴＤＤアップリンク／ダウンリンク構成であり、各ＨＡＲＱプロセスとアップリンクサブフレームとの間の該当関係がシステムフレームの変更と共に変更される場合、したがって、ＰセルがＴＤＤアップリンク／ダウンリンク構成０又はＴＤＤアップリンク／ダウンリンク構成６である場合、上記スケジューリングされるセル（ノンクロスキャリアスケジューリングでＳセルを含み、以後からは、同一である）のＴＤＤアップリンク／ダウンリンク構成がＴＤＤアップリンク／ダウンリンク構成１、２、３、４、５のうちいずれか一つの場合、この時、上記スケジューリングされるセルのＰＵＳＣＨは、ＰセルのＰＵＳＣＨタイミング関係によってスケジューリングされ、従って多くの問題が存在するようなる。
【０１４３】
本発明の実施例４のような、ＰセルがＴＤＤアップリンク／ダウンリンク構成０又はＴＤＤアップリンク／ダウンリンク構成６である特定環境に対して、下記のような解決方式が存在する。
【０１４４】
まず、上記スケジューリングされるセルが表５のように、ＴＤＤアップリンク／ダウンリンク構成１、２、３、４、５のうちいずれか一つの場合、上記スケジューリングされるセルのＰＵＳＣＨタイミング関係は、下記のような二つの方式を通じて決定されることができる。
【０１４５】
方式１：最大個数のアップリンクサブフレームの個数が決定されることができるということによって、ＴＤＤアップリンク／ダウンリンク構成１、２、３、４、５のうち選択されるＴＤＤアップリンク／ダウンリンク構成に該当するＰＵＳＣＨタイミング関係は、上記スケジューリングされるセルのＰＵＳＣＨタイミング関係として処理される。上記条件を満足する、多様なＰＵＳＣＨタイミング関係が存在する場合、上記スケジューリングされるセルのＴＤＤアップリンク／ダウンリンク構成に該当するＰＵＳＣＨタイミング関係が優先的に選択される。
【０１４６】
方式２：上記スケジューリングされるセルのＴＤＤアップリンク／ダウンリンク構成に該当するＰＵＳＣＨタイミング関係が優先順位を使用して選択される。上記スケジューリングされるセルのＴＤＤアップリンク／ダウンリンク構成に該当するＰＵＳＣＨタイミング関係によってスケジューリング可能なアップリンクフレームの個数が０である場合、最大個数のアップリンクサブフレームがスケジューリングできるということによって、ＴＤＤアップリンク／ダウンリンク構成１、２、３、４、５のうち選択されるＴＤＤアップリンク／ダウンリンク構成に該当するＰＵＳＣＨタイミング関係は、上記スケジューリングされるセルのＰＵＳＣＨタイミング関係として処理される。
【０１４７】
上述したような実施例４−１によって獲得される、上記選択されたＰＵＳＣＨタイミング関係に該当するＴＤＤアップリンク／ダウンリンク構成は、下記の表２１及び表２２に表したようである。下記２個の表でのように示される、選択されたＰＵＳＣＨタイミング関係は、全二重クロスキャリアスケジューリング、半二重クロスキャリアスケジューリング及び半二重ノンクロスキャリアスケジューリングを含む３個の環境に適用される。
【０１４８】
【表２１】
2015508246.tif 000023
【０１４９】
表２１：ＰセルがＴＤＤアップリンク／ダウンリンク構成０、６のうち一つであり、上記スケジューリングされるセルがＴＤＤアップリンク／ダウンリンク構成１−５のうち一つの環境下で、上記スケジューリングされるセルのＰＵＳＣＨタイミング関係の選択表（方式１に該当する）
【０１５０】
【表２２】
2015508246.tif 000024
【０１５１】
表２２：ＰセルがＴＤＤアップリンク／ダウンリンク構成０、６のうち一つであり、上記スケジューリングされるセルがＴＤＤアップリンク／ダウンリンク構成１−５のうち一つの環境下で、上記スケジューリングされるセルのＰＵＳＣＨタイミング関係の選択表（方式２に該当する）
【０１５２】
第２に、上記スケジューリングされるセルが実施例４−２のように、ＴＤＤアップリンク／ダウンリンク構成０又はＴＤＤアップリンク／ダウンリンク構成６である場合、全二重クロスキャリアスケジューリング、半二重クロスキャリアスケジューリング及び半二重ノンクロスキャリアスケジューリングのように相異なる環境に対して、ＰＵＳＣＨタイミング関係を選択する方法は、下記のようである。
【０１５３】
全二重クロスキャリアスケジューリングで：
スケジューリングセルがＴＤＤアップリンク／ダウンリンク構成６であり、スケジューリングされるセルがＴＤＤアップリンク／ダウンリンク構成０である場合、ＴＤＤアップリンク／ダウンリンク構成０又はＴＤＤアップリンク／ダウンリンク構成６に該当するＰＵＳＣＨタイミング関係は、上記選択されるセルのＰＵＳＣＨタイミング関係として選択されることができる。
【０１５４】
ここで、ＴＤＤアップリンク／ダウンリンク構成０に該当するＰＵＳＣＨタイミング関係が選択される場合、これは、上記スケジューリングされるアップリンクサブフレームを最大化させることができるが、上記スケジューリングされるセルのＰＨＩＣＨタイミング関係は、上記スケジューリングセルのタイミング関係と一致しない。しかし、ＴＤＤアップリンク／ダウンリンク構成６に該当するＰＵＳＣＨタイミング関係が選択される場合、これは、上述したような問題点を避けることができる環境下で、上記スケジューリングされるアップリンクサブフレームの個数を最大化させることができる。
【０１５５】
スケジューリングセルがＴＤＤアップリンク／ダウンリンク構成０であり、スケジューリングされるセルがＴＤＤアップリンク／ダウンリンク構成６である場合、ＴＤＤアップリンク／ダウンリンク構成０又はＴＤＤアップリンク／ダウンリンク構成６又はＴＤＤアップリンク／ダウンリンク構成１に該当するＰＵＳＣＨタイミング関係は、上記スケジューリングされるセルのＰＵＳＣＨタイミング関係として選択されることができる。
【０１５６】
ここで、ＴＤＤアップリンク／ダウンリンク構成０に該当するＰＵＳＣＨタイミング関係が選択される場合、最大個数のアップリンクサブフレームが選択されることができ、したがって、上記スケジューリングされるセルのＰＨＩＣＨタイミングが上記スケジューリングセルのＰＨＩＣＨタイミングと一致するということを保障することができる。ＴＤＤアップリンク／ダウンリンク構成６に該当するＰＵＳＣＨタイミング関係が選択される場合、上記スケジューリングされるセル内で、ＵＥがスケジューリングされることに従う全てのＰＨＩＣＨタイミング関係は、同一であり、これは、スケジューラアルゴリズムを簡略化させるのに良い影響を与える。しかし、このような２個の選択は、各ＨＡＲＱプロセスに対する追加時間遅延をもたらすことがある。しかし、ＴＤＤアップリンク／ダウンリンク構成１に該当するＰＵＳＣＨタイミング関係が選択される場合、これは、上述したような問題点を避けることができる環境下でスケジューリングされるアップリンクフレームを最大化させることができる。
【０１５７】
上述したような規則によって獲得された、全二重スケジューリング環境下で選択されたＰＵＳＣＨタイミング関係に該当する、ＴＤＤアップリンク／ダウンリンク構成は、下記の表２３に表したようである。
【０１５８】
【表２３】
2015508246.tif 000025
【０１５９】
表２３：上記スケジューリングセルがＴＤＤアップリンク／ダウンリンク構成０、６のうち一つであり、上記スケジューリングされるセルがＴＤＤアップリンク／ダウンリンク構成０、６のうち一つの環境下で、上記スケジューリングされるセルのＰＵＳＣＨタイミング関係の選択表（全二重クロスキャリアスケジューリング）
【０１６０】
半二重クロスキャリアスケジューリングで：
スケジューリングセルがＴＤＤアップリンク／ダウンリンク構成６であり、スケジューリングされるセルがＴＤＤアップリンク／ダウンリンク構成０である場合、ＴＤＤアップリンク／ダウンリンク構成６に該当するＰＵＳＣＨタイミング関係は、上記スケジューリングされるセルのＰＵＳＣＨタイミング関係として選択されることができる。
【０１６１】
スケジューリングセルがＴＤＤアップリンク／ダウンリンク構成０であり、スケジューリングされるセルがＴＤＤアップリンク／ダウンリンク構成０である場合、ＴＤＤアップリンク／ダウンリンク構成０又はＴＤＤアップリンク／ダウンリンク構成６に該当するＰＵＳＣＨタイミング関係は、上記スケジューリングされるセルのＰＵＳＣＨタイミング関係として選択されることができる。
【０１６２】
ここで、ＴＤＤアップリンク／ダウンリンク構成０に該当するＰＵＳＣＨタイミング関係が選択される場合、最大個数のアップリンクサブフレームが選択されることができ、上記スケジューリングされるセルのＰＨＩＣＨタイミングは、上記スケジューリングセルのＰＨＩＣＨタイミングと同一であるということを保障することができる。ＴＤＤアップリンク／ダウンリンク構成６に該当するＰＵＳＣＨタイミング関係が選択される場合、ＵＥが上記スケジューリングされるセル内でスケジューリングされるということによって全てのＰＨＩＣＨタイミング関係が同一であるということを保障することができ、これは、スケジューラアルゴリズムを簡略化させることに良い影響を与える。しかし、このような２個の選択は、ＰＵＳＣＨが近接したダウンリンクサブフレームにスケジューリングされるという状況をもたらすことがある。しかし、ＴＤＤアップリンク／ダウンリンク構成１に該当するＰＵＳＣＨタイミング関係が選択される場合、これは、上述したような問題点を避けることができる環境下でスケジューリングされるアップリンクサブフレームを最大化させることができる。
【０１６３】
上述したような規則によって獲得される、半二重クロスキャリアスケジューリング環境下で選択されたＰＵＳＣＨタイミング関係に該当するＴＤＤアップリンク／ダウンリンク構成は、下記の表２４に表したようである。
【０１６４】
【表２４】
2015508246.tif 000026
【０１６５】
表２４：上記スケジューリングセルがＴＤＤアップリンク／ダウンリンク構成０又はＴＤＤアップリンク／ダウンリンク構成６であり、上記スケジューリングされるセルがＴＤＤアップリンク／ダウンリンク構成０又はＴＤＤアップリンク／ダウンリンク構成６である環境下で、上記スケジューリングされるセルのＰＵＳＣＨタイミング関係の選択表（半二重クロスキャリアスケジューリング）
【０１６６】
半二重ノンクロスキャリアスケジューリングで：
ＰセルがＴＤＤアップリンク／ダウンリンク構成６であり、ノンクロスキャリアスケジューリングされるＳセルがＴＤＤアップリンク／ダウンリンク構成０である場合、ＴＤＤアップリンク／ダウンリンク構成０又はＴＤＤアップリンク／ダウンリンク構成１に該当するＰＵＳＣＨタイミング関係がＳセルのＰＵＳＣＨタイミング関係として選択されることができる。
【０１６７】
ここで、ＴＤＤアップリンク／ダウンリンク構成０に該当するＰＵＳＣＨタイミング関係が選択される場合、これは、上記スケジューリングされるアップリンクサブフレームを最大化させ、ＰＨＩＣＨタイミング関係は、Ｓセルのタイミング関係と同一である、しかし、これは、ＰＵＳＣＨは、近接したアップリンクサブフレームにスケジューリングされる状況を招くことがある。しかし、ＴＤＤアップリンク／ダウンリンク構成１に該当するＰＵＳＣＨタイミング関係が選択される場合、上述したような問題点を避けるための環境下で、上記スケジューリングされるアップリンクサブフレームを最大化させることができる。
【０１６８】
ＰセルがＴＤＤアップリンク／ダウンリンク構成０であり、ノンクロスキャリアスケジューリングされるＳセルがＴＤＤアップリンク／ダウンリンク構成６である場合、ＴＤＤアップリンク／ダウンリンク構成０又はＴＤＤアップリンク／ダウンリンク構成６又はＴＤＤアップリンク／ダウンリンク構成１に該当するＰＵＳＣＨタイミング関係は、ＳセルのＰＵＳＣＨタイミング関係として選択されることができる。
【０１６９】
ここで、ＴＤＤアップリンク／ダウンリンク構成０に該当するＰＵＳＣＨタイミング関係が選択される場合、最大個数のアップリンクサブフレームがスケジューリングされることができる。ＴＤＤアップリンク／ダウンリンク構成６に該当するＰＵＳＣＨタイミング関係が選択される場合、ＵＥがＳセル内でスケジューリングされるということによって全てのＰＨＩＣＨタイミング関係が同一であるということを保障することができ、これは、スケジューラアルゴリズムを簡略化させることに良い影響を及ぼし、ＰＨＩＣＨタイミングは、ＳセルのＰＨＩＣＨタイミングと同一である。しかし、このような２個の選択は、ＰＵＳＣＨが近接したダウンリンクサブフレームにスケジューリングされる状況をもたらすことがある。ＴＤＤアップリンク／ダウンリンク構成１に該当するＰＵＳＣＨタイミング関係が選択される場合、これは、上述したような問題点を避けるための環境下で、上記スケジューリングされるアップリンクサブフレームを最大化させることができる。
【０１７０】
上述したような規則によって獲得される、半二重ノンクロスキャリアスケジューリング環境下で選択されるＰＵＳＣＨタイミング関係に該当するＴＤＤアップリンク／ダウンリンク構成は、下記の表２５に表したようである。
【０１７１】
【表２５】
2015508246.tif 000027
【０１７２】
表２５：ＰセルがＴＤＤアップリンク／ダウンリンク構成０、６のうち一つであり、ＳセルがＴＤＤアップリンク／ダウンリンク構成０、６のうち一つの環境下で、ＳセルのＰＵＳＣＨタイミング関係の選択表（半二重ノンクロスキャリアスケジューリング）
【０１７３】
本発明の実施例４は、主にスケジューリングセルのＴＤＤアップリンク／ダウンリンク構成がＴＤＤアップリンク／ダウンリンク構成０又はＴＤＤアップリンク／ダウンリンク構成６である環境下で、Ｓセル又はスケジューリングされるセルのＰＵＳＣＨタイミング関係を選択する方法を紹介する。ここで、Ｓセル又はスケジューリングされるセルのＴＤＤアップリンク／ダウンリンク構成がＴＤＤアップリンク／ダウンリンク構成１−５のうち一つであるだけでなく、ＴＤＤアップリンク／ダウンリンク構成０又はＴＤＤアップリンク／ダウンリンク構成６である２つの場合、並びに全二重クロスキャリアスケジューリング、半二重クロスキャリアスケジューリング及び半二重ノンクロスキャリアスケジューリングを含む三つの環境に対して、ＰＵＳＣＨタイミング関係の特定選択方法及び選択結果がそれぞれ与えられる。このような表は、それぞれ単一環境及び場合の具現例を示し、このような選択は、ＰセルがＴＤＤアップリンク／ダウンリンク構成１、２、３、４、５のうちいずれか一つである場合だけでなく、実施例１、実施例２及び実施例３での同一の環境（全二重クロスキャリアスケジューリング、半二重クロスキャリアスケジューリング又は半二重ノンクロスキャリアスケジューリングを参照する）に該当するＰＵＳＣＨタイミング関係の選択結果と結合されることができ、したがってこのような環境の完全な解決方式が構成される。
【０１７４】
例えば、ＵＥが半二重であり、クロスキャリアスケジューリングである環境に対して、上記スケジューリングセルがＴＤＤアップリンク／ダウンリンク構成１、２、３、４、５のうち一つである場合、表５のＰＵＳＣＨタイミング関係の選択結果らは、表２１及び表２３と結合されることができ、したがって、ＵＥが全二重であり、クロスキャリアスケジューリングである環境下で、上記スケジューリングされるアップリンクサブフレームを最大化させる原則によって選択されるＰＵＳＣＨタイミング関係が表２６に表したように構成される。上記スケジューリングセルがＴＤＤアップリンク／ダウンリンク構成１、２、３、４、５のうちいずれか一つの場合、表７のＰＵＳＣＨタイミング関係の選択結果は、表２２及び表２３と結合されることができ、したがって、ＵＥが全二重であり、クロスキャリアスケジューリングである環境下で、上記スケジューリングセルとスケジューリングされるセルのＰＵＳＣＨタイミング関係を選択する基本原則によって選択されるＰＵＳＣＨタイミング関係が表２７に表したように優先的に構成され、多様な他の結合が存在し、これに対しては、ここでは、その具体的な説明を反復しない。
【０１７５】
【表２６】
2015508246.tif 000028
【０１７６】
表２６：全二重クロスキャリアスケジューリングの環境下で、上記スケジューリングされるセルのＰＵＳＣＨタイミング関係の結合された選択表（上記スケジューリングされるアップリンクサブフレームを最大化させる原則に従う）
【０１７７】
【表２７】
2015508246.tif 000029
【０１７８】
表２７：全二重クロスキャリアスケジューリングの環境下で、上記スケジューリングされるセルのＰＵＳＣＨタイミング関係の結合された選択表（優先順位を使用して上記スケジューリングセルとスケジューリングされるセルのＰＵＳＣＨタイミング関係の選択原則に従う）
【０１７９】
図１３は、本発明の実施形態によるＣＡ方式をサポートするセルラー無線通信システムにおけるＵＥの内部構造を概略的に示した図である。
図１３を参照すると、ＵＥは、受信ユニット１３１１と、制御ユニット１３１３と、送信ユニット１３１５と、保存ユニット１３１７とを含む。
【０１８０】
制御ユニット１３１３は、ＵＥの全般的な動作を制御する。特に本発明の実施形態によるＰＵＳＣＨ信号送信に関連した全般的な動作を遂行するように制御する。ここで、ＰＤＳＣＨ信号送信に関連した全般的な動作に対しては、図３乃至図１２で説明した内容と同一であるので、その詳細な説明を省略する。
受信ユニット１３１１は、制御ユニット１３１３の制御によって基地局などから各種信号などを受信する。ここで、受信ユニット１３１１が受信する各種信号などは、図３乃至図１２で説明した内容と同一であるので、その詳細な説明を省略する。
送信ユニット１３１５は、制御ユニット１３１３の制御によって基地局などに各種信号、特にＰＵＳＣＨ信号などを送信する。ここで、送信ユニット１３１５が送信する各種信号などは、図３乃至図１２で説明した内容と同一であるので、その詳細な説明を省略する。
保存ユニット１３１７は、受信ユニット１３１１が受信した各種信号及びＵＥの動作に必要な各種データ、特にＰＵＳＣＨ信号送信動作に関連した情報などを保存する。
【０１８１】
一方、図１３には、受信ユニット１３１１と、制御ユニット１３１３と、送信ユニット１３１５と、保存ユニット１３１７と、出力ユニット１３１９とが個別のユニットで具現された場合が示されているが、受信ユニット１３１１と、制御ユニット１３１３と、送信ユニット１３１５と、保存ユニット１３１７と、出力ユニット１３１９とは、１個に統合具現された統合ユニットで具現可能であることはいうまでもない。
【０１８２】
図１４は、本発明の実施形態によるＣＡ方式を使用するセルラー無線通信システムにおける基地局の内部構造を概略的に示した図である。
図１４を参照すると、基地局は、受信ユニット１４１１と、制御ユニット１４１３と、送信ユニット１４１５と、保存ユニット１４１７とを含む。
【０１８３】
制御ユニット１４１３は、上記基地局の全般的な動作を制御する。特に本発明の実施形態によるＵＥのＰＵＳＣＨ信号送信動作及びＵＥが送信したＰＵＳＣＨを受信する動作に関連した全般的な動作を遂行するように制御する。ここで、ＵＥのＰＵＳＣＨ信号送信動作及びＵＥが送信したＰＵＳＣＨを受信する動作に関連した全般的な動作に対しては、図３乃至図１２で説明した内容と同一であるので、その詳細な説明を省略する。
受信ユニット１４１１は、制御ユニット１４１３の制御の下に、ＵＥなどから各種信号などを受信する。ここで、受信ユニット１４１１が受信する各種信号などは、図３乃至図１２で説明した内容と同一であるので、その詳細な説明を省略する。
送信ユニット１４１５は、制御ユニット１４１３の制御の下に、ＵＥなどに各種信号などを送信する。ここで、送信ユニット１４１５が送信する各種信号などは、図３乃至図１２で説明した内容と同一であるので、その詳細な説明を省略する。
保存ユニット１４１７は、受信ユニット１４１１が受信した各種信号及び上記基地局の動作に必要な各種データ、特にＵＥのＰＵＳＣＨ信号送信動作及びＵＥが送信したＰＵＳＣＨを受信する動作に関連した情報などを保存する。
【０１８４】
一方、図１４には、受信ユニット１４１１と、制御ユニット１４１３と、送信ユニット１４１５と、保存ユニット１４１７とが個別のユニットで具現された場合が図示されているが、受信ユニット１４１１と、制御ユニット１４１３と、送信ユニット１４１５と、保存ユニット１４１７とは、１つに統合された統合ユニットで具現可能である。
【０１８５】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【０１８６】
１３１１，１４１１  受信ユニット
１３１３，１４１３  制御ユニット
１３１５，１４１５  送信ユニット
１３１７，１４１７  保存ユニット
【図１】
2015508246.tif 000030
【図２】
2015508246.tif 000031
【図３】
2015508246.tif 000032
【図４】
2015508246.tif 000033
【図５】
2015508246.tif 000034
【図６】
2015508246.tif 000035
【図７】
2015508246.tif 000036
【図８】
2015508246.tif 000037
【図９】
2015508246.tif 000038
【図１０】
2015508246.tif 000039
【図１１】
2015508246.tif 000040
【図１２】
2015508246.tif 000041
【図１３】
2015508246.tif 000042
【図１４】
2015508246.tif 000043
【国際調査報告】
2015508246.tif 000044
2015508246.tif 000045